(57)【特許請求の範囲】
【請求項１】
無線通信ネットワーク（１）における無線デバイス（１０）の通信を扱うための第１の無線ネットワークノード（１２）によって実施される方法であって、前記第１の無線ネットワークノード（１２）が前記無線デバイス（１０）をサーブし、前記無線通信ネットワーク（１）が第２の無線ネットワークノード（１３）をさらに備え、前記方法が、
−  前記無線デバイス（１０）が前記第１の無線ネットワークノードにおけるビーム設定を使用するデバイスであると決定すること（９１２）と、
−  前記無線デバイスが前記ビーム設定を使用していると決定されたとき、前記第２の無線ネットワークノード（１３）に、前記無線デバイス（１０）が前記第２の無線ネットワークノード（１３）へのアクセスを得ることを要求し、また、前記第２の無線ネットワークノード（１３）におけるビーム設定の使用を要求する指示をもつメッセージを送信すること（９１３）と、
−  前記第２の無線ネットワークノード（１３）から、参照信号（ＲＳ）とランダムアクセスチャネル（ＲＡＣＨ）設定とのマッピングを指示する設定指示を備える確認を受信することと、
−  ＲＳとＲＡＣＨ設定との前記マッピングを、前記無線デバイス（１０）にフォワーディングすること（９１５）と
を含む、方法。
【請求項２】
−  前記無線デバイス（１０）から測定を受信すること（９１１）をさらに含み、
前記測定が、条件を満たす、前記第２の無線ネットワークノード（１３）の信号強度または品質を指示し、
前記条件が満たされたときに前記メッセージが送信される、請求項１に記載の方法。
【請求項３】
前記指示は、シームレスモビリティのために、前記第２の無線ネットワークノード（１３）における物理ダウンリンク共有チャネル（ＰＤＳＣＨ）のビームフォーミングを用いた高データレートチャネルの使用を指示することによって前記ビーム設定の使用を要求する、請求項１または２に記載の方法。
【請求項４】
無線通信ネットワーク（１）における無線デバイス（１０）の通信を扱うための第２の無線ネットワークノード（１３）によって実施される方法であって、前記無線通信ネットワーク（１）が、前記無線デバイス（１０）をサーブする第１の無線ネットワークノード（１２）を備え、前記方法が、
−  前記無線デバイス（１０）が前記第２の無線ネットワークノード（１３）へのアクセスを得ることを要求し、また、前記第２の無線ネットワークノード（１３）におけるビーム設定の使用を要求する指示をもつメッセージを、前記第１の無線ネットワークノード（１２）から受信すること（９２１）と、
−  前記無線デバイス（１０）を承認すべきかどうかを決定すること（９２２）と、
−  前記無線デバイス（１０）を承認することが決定されたとき、前記第１の無線ネットワークノード（１２）に確認を送信すること（９２３）であって、前記確認が、参照信号（ＲＳ）とランダムアクセスチャネル（ＲＡＣＨ）設定とのマッピングを指示する設定指示を備える、確認を送信すること（９２３）と
を含む、方法。
【請求項５】
前記指示が、シームレスモビリティのために、前記第２の無線ネットワークノード（１３）における物理ダウンリンク共有チャネル（ＰＤＳＣＨ）のビームフォーミングを用いた高データレートチャネルの使用を指示することによって前記ビーム設定の使用を要求する、請求項４に記載の方法。
【請求項６】
−  それぞれのビーム設定の１つまたは複数の参照信号（ＲＳ）の送信を開始すること（９２４）
をさらに含む、請求項４または５に記載の方法。
【請求項７】
−  ランダムアクセスチャネル（ＲＡＣＨ）設定の少なくとも一部を使用して、前記無線デバイス（１０）からの始動されるランダムアクセスプロシージャを検出すること（９２５）であって、前記ＲＡＣＨ設定が、送信された前記１つまたは複数のＲＳのうちのＲＳにマッピングされる、検出すること（９２５）と、
−  前記無線デバイスへのまたは前記無線デバイスからのデータ送信を実施するために前記ＲＳに関連する前記ビーム設定を使用すること（９２６）と
をさらに含む、請求項６に記載の方法。
【請求項８】
無線通信ネットワーク（１）における無線デバイス（１０）の通信を扱うための第１の無線ネットワークノード（１２）であって、前記第１の無線ネットワークノード（１２）が前記無線デバイス（１０）をサーブするように設定され、前記無線通信ネットワーク（１）が第２の無線ネットワークノード（１３）をさらに備え、前記第１の無線ネットワークノード（１２）が、
前記無線デバイス（１０）が前記第１の無線ネットワークノード（１２）におけるビーム設定を使用するデバイスであると決定することと、前記無線デバイスが前記ビーム設定を使用していると前記決定されたとき、
前記第２の無線ネットワークノード（１３）に、前記無線デバイス（１０）が前記第２の無線ネットワークノード（１３）へのアクセスを得ることを要求し、また、前記第２の無線ネットワークノード（１３）におけるビーム設定の使用を要求する指示をもつメッセージを送信することと、
前記第２の無線ネットワークノード（１３）から確認を受信することであって、前記確認が、参照信号（ＲＳ）とランダムアクセスチャネル（ＲＡＣＨ）設定とのマッピングを指示する設定指示を備える、確認を受信することと、
ＲＳとＲＡＣＨ設定との前記マッピング、および／またはＲＳ設定を前記無線デバイス（１０）にフォワーディングすることと
を行うように設定された、第１の無線ネットワークノード（１２）。
【請求項９】
前記第１の無線ネットワークノード（１２）は、前記無線デバイス（１０）から、条件を満たす、前記第２の無線ネットワークノード（１３）の信号強度または品質を指示する測定を受信することを行うように、さらに設定され、
前記第１の無線ネットワークノード（１２）は、前記条件が満たされたときに前記メッセージを送信するようにさらに設定された、請求項８に記載の第１の無線ネットワークノード（１２）。
【請求項１０】
前記指示が、シームレスモビリティのために、前記第２の無線ネットワークノード（１３）における物理ダウンリンク共有チャネル（ＰＤＳＣＨ）のビームフォーミングを用いた高データレートチャネルの使用を指示することによって前記ビーム設定の使用を要求する、請求項８または９に記載の第１の無線ネットワークノード（１２）。
【請求項１１】
前記指示が、要求されるサービス品質またはサービスの性能を指示することによって前記ビーム設定の使用を要求する、請求項８から１０のいずれか一項に記載の第１の無線ネットワークノード（１２）。
【請求項１２】
無線通信ネットワーク（１）における無線デバイス（１０）の通信を扱うための第２の無線ネットワークノード（１３）であって、前記無線通信ネットワーク（１）が、前記無線デバイス（１０）をサーブする第１の無線ネットワークノード（１２）を備え、前記第２の無線ネットワークノード（１３）は、
前記無線デバイス（１０）が前記第２の無線ネットワークノード（１３）へのアクセスを得ることを要求し、また、前記第２の無線ネットワークノード（１３）におけるビーム設定の使用を要求する指示をもつメッセージを、前記第１の無線ネットワークノード（１２）から受信することと、
前記無線デバイス（１０）を承認すべきかどうかを決定することと、
前記無線デバイス（１０）を承認することが決定されたとき、前記第１の無線ネットワークノード（１２）に確認を送信することであって、前記確認が、参照信号（ＲＳ）とランダムアクセスチャネル（ＲＡＣＨ）設定とのマッピングを指示する設定指示を備える、確認を送信することと
を行うように設定された、第２の無線ネットワークノード（１３）。
【請求項１３】
前記指示が、シームレスモビリティのために、前記第２の無線ネットワークノード（１３）における物理ダウンリンク共有チャネル（ＰＤＳＣＨ）のビームフォーミングを用いた高データレートチャネルの使用を指示することによって前記ビーム設定の使用を要求する、請求項１２に記載の第２の無線ネットワークノード（１３）。
【請求項１４】
前記指示が、要求されるサービス品質または要求されるサービスの性能を指示することによって前記ビーム設定の使用を要求する、請求項１２または１３に記載の第２の無線ネットワークノード（１３）。
【請求項１５】
前記第２の無線ネットワークノード（１３）が、
それぞれのビーム設定の１つまたは複数のＲＳの送信を開始する
ようにさらに設定された、請求項１２から１４のいずれか一項に記載の第２の無線ネットワークノード（１３）。
【請求項１６】
前記第２の無線ネットワークノード（１３）は、
ＲＡＣＨ設定の少なくとも一部を使用して、前記無線デバイス（１０）からの始動されるランダムアクセスプロシージャを検出することであって、前記ＲＡＣＨ設定が、送信された前記１つまたは複数のＲＳのうちのＲＳにマッピングされる、検出することと、
前記無線デバイス（１０）へのまたは前記無線デバイス（１０）からのデータ送信を実施するために前記ＲＳに関連する前記ビーム設定を使用することと
を行うようにさらに設定された、請求項１５に記載の第２の無線ネットワークノード（１３）。
【発明の詳細な説明】
【技術分野】
【０００１】
本明細書の実施形態は、無線通信に関する、無線ネットワークノード、および無線ネットワークノードにおいて実施される方法に関する。さらに、コンピュータプログラムおよびコンピュータ可読記憶媒体も本明細書で提供される。特に、本明細書の実施形態は、無線通信ネットワークにおける無線デバイスの通信を扱うこと、たとえばハンドオーバを扱うことまたは可能にすることに関する。
【背景技術】
【０００２】
一般的な無線通信ネットワークでは、無線通信デバイス、移動局、局（ＳＴＡ）および／またはユーザ機器（ＵＥ）としても知られる、無線デバイスが、無線アクセスネットワーク（ＲＡＮ）を介して１つまたは複数のコアネットワーク（ＣＮ）に通信する。ＲＡＮは、サービスエリアまたはセルエリアに分割される地理的エリアをカバーし、各サービスエリアまたはセルエリアは、いくつかのネットワークでは、たとえば、「ノードＢ」または「ｅノードＢ」と呼ばれることもある、アクセスノード、たとえばＷｉ−Ｆｉアクセスポイントまたは無線基地局（ＲＢＳ）など、無線ネットワークノードによってサーブされる。サービスエリアまたはセルエリアは、無線ネットワークノードによって無線カバレッジが提供される地理的エリアである。無線ネットワークノードは、無線ネットワークノードの範囲内でエアインターフェースを介して無線デバイスと通信するように無線周波数上で動作する。無線ネットワークノードはダウンリンク（ＤＬ）を介して無線デバイスに通信し、無線デバイスはアップリンク（ＵＬ）を介して無線ネットワークノードに通信する。
【０００３】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は、第２世代（２Ｇ）モバイル通信用グローバルシステム（ＧＳＭ）から発展した第３世代電気通信ネットワークである。ＵＭＴＳ地上無線アクセスネットワーク（ＵＴＲＡＮ）は、本質的に、ユーザ機器との通信のために広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られるフォーラムでは、電気通信サプライヤが、現在および将来の世代のネットワーク、具体的にＵＴＲＡＮのための規格を提案およびその規格に関して同意し、向上されたデータレートおよび無線容量を研究する。いくつかのＲＡＮでは、たとえばＵＭＴＳの場合のように、いくつかの無線ネットワークノードは、たとえば、地上線またはマイクロ波によって、無線ネットワークコントローラ（ＲＮＣ）または基地局コントローラ（ＢＳＣ）など、コントローラノードに接続され得、コントローラノードは、コントローラノードに接続された複数の無線ネットワークノードの様々なアクティビティを監視し、協調させる。ＲＮＣは、一般に、１つまたは複数のコアネットワークに接続される。
【０００４】
エボルブドパケットシステム（ＥＰＳ）のための仕様は３ＧＰＰ内で完成されており、この作業は、４Ｇネットワークおよび新しい無線（ＮＲ）などの５Ｇネットワークなど、次の３ＧＰＰリリースにおいて続く。ＥＰＳは、Ｌｏｎｇ−Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードがＥＰＣコアネットワークに直接接続される３ＧＰＰ無線アクセス技術である。したがって、ＥＰＳの無線アクセスネットワーク（ＲＡＮ）は、１つまたは複数のコアネットワークに直接接続された無線ネットワークノードを備える、本質的に「フラット」なアーキテクチャを有する。
【０００５】
新しい無線（ＮＲ）など、新生の５Ｇ技術では、極めて多くの送信および受信アンテナエレメントを使用することは、それが送信側および受信側ビームフォーミングなど、ビームフォーミングを利用することを可能にするので、重要である。送信側ビームフォーミングは、送信機が、１つまたは複数の選択された方向において送信信号を増幅し、他の方向において送信信号を抑圧することができることを意味する。同様に、受信側では、受信機が、１つまたは複数の選択された方向からの信号を増幅し、他の方向からの不要な信号を抑圧することができる。
【０００６】
ビームフォーミングは、信号が個々の接続についてより強くなることを可能にする。送信側では、これは、（１つまたは複数の）所望の方向における送信電力の集中によって達成され得、受信側では、これは、（１つまたは複数の）所望の方向における受信機感度の増加によって達成され得る。このビームフォーミングは、接続のスループットおよびカバレッジを向上させる。ビームフォーミングは、不要な信号からの干渉を低減することをも可能にし、それにより、時間周波数グリッドにおける同じリソースを使用する複数の個々の接続を介したいくつかの同時送信、いわゆるマルチユーザ多入力多出力（ＭＩＭＯ）を可能にする。
【０００７】
チャネル状態情報参照信号（ＣＳＩ−ＲＳ）と呼ばれる、スケジュールされた参照信号が、特定の接続のために必要なときに送信される。チャネル状態情報（ＣＳＩ）は、チャネル品質インジケータ（ＣＱＩ）と、プリコーディング行列インジケータ（ＰＭＩ）と、ランクインジケータ（ＲＩ）とを備える。ＣＱＩは、無線デバイスによって無線ネットワークノードに報告される。無線デバイスは、変調方式およびコーディング方式を無線ネットワークノードに指示する。ダウンリンクチャネル条件（ｃｏｎｄｉｔｉｏｎ）を予測するために、無線デバイスによるＣＱＩフィードバックが入力として使用され得る。ＣＱＩ報告は、ＰＭＩおよびＲＩに基づくことができる。ＰＭＩは、無線デバイスによって無線ネットワークノードに指示され、そのプリコーディング行列は、ＲＩによって決定されるダウンリンク送信のために使用され得る。無線デバイスは、ＲＩ、すなわち、無線デバイスへのダウンリンク送信のために使用されるべきであるレイヤの数を無線ネットワークノードにさらに指示する。ＣＳＩ−ＲＳをいつおよびどのように送信すべきかの決定が無線ネットワークノードによって行われ、その決定は、いわゆる測定グラントを使用して、関与する無線デバイスにシグナリングされる。無線デバイスが測定グラントを受信したとき、無線デバイスは、対応するＣＳＩ−ＲＳに関して測定する。無線ネットワークノードは、ＣＳＩ−ＲＳを無線デバイスに、その無線デバイスについて強いことが知られている（１つまたは複数の）ビームのみを使用して送信することを選んで、無線デバイスがそれらのビームに関するより詳細な情報を報告することを可能にし得る。代替的に、無線ネットワークノードは、ＣＳＩ−ＲＳを、その無線デバイスについて強いことが知られていない（１つまたは複数の）ビームをも使用して送信することを選んで、たとえば、無線デバイスが移動している場合に（１つまたは複数の）新しいビームの高速検出を可能にし得る。
【０００８】
ＮＲネットワークの無線ネットワークノードは、同様に、他の参照信号を送信する。たとえば、無線ネットワークノードは、無線デバイスに制御情報またはデータを送信するときにいわゆる復調用参照信号（ＤＭＲＳ）を送信し得る。そのような送信は、一般に、その無線デバイスについて強いことが知られている（１つまたは複数の）ビームを使用して行われる。
【０００９】
ＬＴＥでは、ＣＳＩ−ＲＳの主要な目的は、無線ネットワークノードをそのプリコーディング動作において支援するために最高８つの送信アンテナポートについてのチャネル状態フィードバックを取得することである。リリース１０は、１つ、２つ、４つおよび８つの送信アンテナポートについてＣＳＩ−ＲＳの送信をサポートする。ＣＳＩ−ＲＳはまた、将来のマルチセル協調送信方式をサポートするために、無線デバイスが、ただそのサービングセルではなく複数のセルについてＣＳＩを推定することを可能にする。ＬＴＥにおけるＣＳＩ−ＲＳ測定の目的はセルにわたるモビリティをサポートすることではないことに注意されたい。
【００１０】
所与のサブフレームのためのＣＳＩ−ＲＳリソース割り当てが図１に示されている。長さ２の符号分割多重（ＣＤＭ）コードが使用され、したがって、２つのアンテナポート上のＣＳＩ−ＲＳが所与のサブキャリア上の２つのリソースエレメント（ＲＥ）を共有する。２つのＣＳＩ−ＲＳアンテナポートの場合に使用されるリソースエレメントは、４つおよび８つのアンテナポートのために使用されるリソースエレメントのサブセットであり、これは、実装を簡略化するのを助ける。サポートされるアンテナポートの総数は４０であり得、この数を使用して、セルごとに８つのアンテナポートがある場合は、セル間で周波数再利用係数５を与え、または２つのアンテナポートの場合は、係数２０を与えることができる。
【００１１】
ＣＳＩ−ＲＳ設定は、無線デバイス固有であり、すなわち、専用無線リソース制御（ＲＲＣ）シグナリングを介して提供される。図２参照。設定されたとき、ＣＳＩ−ＲＳは、所与のデューティサイクルおよびサブフレームオフセットに従ういくつかのサブフレーム中にのみ存在する。ＣＳＩ−ＲＳを含んでいるサブフレームのデューティサイクルおよびオフセットと、それらのサブフレーム中で使用されるＣＳＩ−ＲＳパターンとは、ＲＲＣシグナリングを通してリリース１０無線デバイスに提供される。デューティサイクルおよびサブフレームオフセットはジョイントコーディングされ、ＣＳＩ−ＲＳパターンはこれらの２つのパラメータとは無関係に設定される。
【００１２】
要約すれば、ＣＳＩ−ＲＳ設定は、（少なくともＲｅｌ−１０まで）以下のものを備える。
−  ＣＳＩ−ＲＳの数：たとえば、１、２、４または８、
−  ＣＳＩ−ＲＳ周期性：たとえば、５ｍｓ、１０ｍｓ、２０ｍｓ、４０ｍｓまたは８０ｍｓ、
−  ＣＳＩ−ＲＳ期間内のＣＳＩ−ＲＳサブフレームオフセット、
−  リソースブロックペア内の厳密なＣＳＩ−ＲＳ設定、すなわち、厳密に、４０個の可能なＲＥからのどのリソースエレメントがリソースブロックペア中の最高８つのＣＳＩ−ＲＳのために使用されるか。
【００１３】
協働ＭＩＭＯのコンテキストでは、複数のサービスエリアにわたるＣＳＩ−ＲＳ送信を協調させることによって、チャネル推定、特に干渉推定の性能を改善することが可能であり得る。リリース１０では、したがって、サービスエリアからのデータ送信においてＲＥのセットを「ミュートする」ことが可能である。「ミューティングパターン」として知られる、これらのＲＥのロケーションは、他のサービスエリアからのＣＳＩ−ＲＳ送信と衝突することを回避し、したがって、セル間測定品質、すなわち異なるセルの測定を改善するように選ばれ得る。マルチセルの場合、ＣＳＩ−ＲＳ設定０がＣＳＩ−ＲＳ設定１とは異なり、同じくＣＳＩ−ＲＳ設定１がＣＳＩ−ＲＳ設定２とは異なる図３に示されているように、ＣＳＩ−ＲＳリソース割り当てが送信および受信ポイント（ＴＲＰ）および／またはサービスエリアにわたる干渉を回避することを試みるように、あるレベルの協調があり得ることに注意されたい。別の重要な態様は、無線デバイス受信機がどのようにＣＳＩ−ＲＳを扱うかに関する。ＬＴＥでは、時間および周波数（Ｔ／Ｆ）同期が、１次同期信号（ＰＳＳ）、２次同期信号（ＳＳＳ）、および／またはセル固有参照信号（ＣＲＳ）から取得され、高速フーリエ変換（ＦＦＴ）が、関連のあるＣＳＩ−ＲＳシンボルに適用され、埋め込まれた自セルの識別情報（ＩＤ）またはＲＲＣ設定された仮想セルＩＤを削除し、これには、５０４個の可能性がある。
【００１４】
ＬＴＥ１次におけるＲｅｌ−１３全次元（ＦＤ：ｆｕｌｌ  ｄｉｍｅｎｓｉｏｎ）−ＭＩＭＯ仕様に関する作業は、ＬＴＥにおけるビームフォーミングのサポートを含む。無線デバイスは、異なるサブフレームについて異なり得る、異なるダウンリンク（ＤＬ）ビームにネットワーク側において関連し得るＣＳＩ−ＲＳプロセスのセットを伴って設定され得る。ビームフォーミングされたＣＳＩ−ＲＳでは、無線デバイスは、異なる方向のほうへビームフォーミングされたＣＳＩ−ＲＳリソースに関してＣＳＩを測定するべきである。図４参照。
【００１５】
ＬＴＥにおけるＲｅｌ−１３  ＦＤ−ＭＩＭＯ仕様は、ビームフォーミングされたＣＳＩ−ＲＳについてクラスＢと呼ばれる向上されたＣＳＩ−ＲＳ報告をサポートする。そこでは、ＬＴＥ  ＲＲＣ＿ＣＯＮＮＥＣＴＥＤ無線デバイスが、Ｋ個のビームを伴って設定され得、ここで、たとえば８＞Ｋ＞１、ここで、Ｋは、各ビームについて１、２、４または８のポート数であり得る。ＰＭＩ、ＲＩおよびＣＱＩなど、フィードバック目的のために、ＣＳＩ−ＲＳごとにＣＳＩ−ＲＳリソースインジケータ（ＣＲＩ）がある。無線デバイスは、ＣＲＩが広帯域であり、ＲＩ、ＣＱＩ、および／またはＰＭＩがレガシーコードブック、すなわちＲｅｌ−１２に基づき、ＣＲＩ報告期間がＲＩの整数倍である好ましいビームを指示するためにＣＲＩを報告する。Ｒｅｌ−１４強化型全次元（ｅＦＤ：ｅｎｈａｎｃｅｍｅｎｔｓ  ｉｎ  Ｆｕｌｌ  Ｄｉｍｅｎｓｉｏｎ）−ＭＩＭＯの場合、以下は、最高３２個、すなわち｛２０、２４、２８、３２｝個のＣＳＩ−ＲＳポートのＣＳＩ−ＲＳアンテナポート数の拡張、および非周期的ＣＳＩ−ＲＳの導入など、潜在的向上と見なされている。図５参照。
【００１６】
ＴＳ３６．３３１  ｖ．１３．０．０によれば、（ＣＳＩ−ＲＳ−Ｃｏｎｆｉｇ  ＩＥ中で符号化された）ＣＳＩ−ＲＳ設定は、ｍｏｂｉｌｉｔｙ  Ｃｏｎｔｒｏｌ  Ｉｎｆｏｒｍａｔｉｏｎをもつまたはもたない、ＲＲＣＣｏｎｎｅｃｔｉｏｎＳｅｔｕｐ、ＲＲＣＣｏｎｎｅｃｔｉｏｎＲｅｓｕｍｅまたはＲＲＣ  Ｃｏｎｎｅｃｔｉｏｎ  Ｒｅｃｏｎｆｉｇｕｒａｔｉｏｎ中のいずれかで（すなわちハンドオーバコマンド中で）送信され得る。（下線付きの）ＣＳＩ−ＲＳ設定がＲＲＣＣｏｎｎｅｃｔｉｏｎＳｅｔｕｐ中で送信される図６を参照されたい。
【００１７】
ＣＳＩ−ＲＳは、ビーム管理のための１次参照信号（ＲＳ）であり得る。ＬＴＥにおけるビームフォーミングされたＣＳＩ−ＲＳと比較して、おそらく、主要な追加の使用事例は、場合によっては細かいＴ／Ｆトラッキングのためにも使用される、アナログビームスイープである。したがって、以下のものなど、ＮＲにおけるＮＲ  ＣＳＩ−ＲＳのためのさらなるフレキシビリティも想定される。
−  場合によっては１つ、２つまたは４つのシンボル内で送信される。
−  設定可能な帯域幅、すなわち、ＬＴＥの場合のように常に全システムであるとは限らない。
−  直交周波数分割多重（ＯＦＤＭ）シンボルはＣＳＩ−ＲＳのみを搬送し得る。
−  非周期的送信、半永続的送信および周期的送信。
【００１８】
注：ＬＴＥにおけるＣＳＩ−ＲＳ、およびここまで述べられた、ＮＲにおけるＣＳＩ−ＲＳの使用の大部分は、ビーム管理をサポートするための測定に関係する。それに加えて、ＣＳＩ−ＲＳは、詳細は規定されていないが、セル間モビリティ、すなわち異なるセル間の移動をサポートするための無線リソース管理（ＲＲＭ）測定のために使用され得る。
【００１９】
以下では、ＬＴＥにおけるモビリティ、特に、ｅノードＢ（ｅＮＢ）として示される無線ネットワークノード間のハンドオーバ準備が説明される。
【００２０】
ＬＴＥでは、ＲＲＣ＿ＣＯＮＮＥＣＴＥＤ状態における無線デバイスのハンドオーバは、Ｅ−ＵＴＲＡＮにおけるハンドオーバ（ＨＯ）準備シグナリングを伴う、無線デバイス支援ネットワーク制御（ｗｉｒｅｌｅｓｓ  ｄｅｖｉｃｅ−ａｓｓｉｓｔｅｄ  ｎｅｔｗｏｒｋ−ｃｏｎｔｒｏｌｌｅｄ）ＨＯである。
−  ＨＯコマンドの一部は、ターゲットｅＮＢから来て、ソースｅＮＢによって無線デバイスにトランスペアレントにフォワーディングされる。アクション６および７参照。
−  ＨＯを準備するために、ソースｅＮＢは、すべての必要な情報（たとえば、Ｅ−無線アクセスベアラ（ＲＡＢ）属性およびＲＲＣコンテキスト）をターゲットｅＮＢに受け渡す。アクション８参照。
−  ソースｅＮＢと無線デバイスの両方は、ＨＯ失敗の場合に無線デバイスの復帰を可能にするために、あるコンテキスト、たとえばセル無線ネットワーク一時識別子（Ｃ−ＲＮＴＩ）を保持する。
−  無線デバイスは、専用ＲＡＣＨプリアンブルを使用する競合なしプロシージャに従って、または、専用ＲＡＣＨプリアンブルが利用可能でない場合に競合ベースプロシージャに従って、ランダムアクセスチャネル（ＲＡＣＨ）を介してターゲットセルにアクセスする。無線デバイスは、ハンドオーバプロシージャが（成功裡にまたは不成功に）終了されるまで専用プリアンブルを使用する。アクション９参照。
−  ターゲットセルに対するＲＡＣＨプロシージャが一定の時間内に成功しなかった場合、無線デバイスは、好適なセルを使用して無線リンク障害回復を始動する。
−  ロバストヘッダ圧縮（ＲＯＨＣ）コンテキストはハンドオーバ時に転送されない。
−  ＲＯＨＣコンテキストは、ハンドオーバ時に同じｅＮＢ内に保持され得る。
【００２１】
ＨＯプロシージャの準備および実行フェーズは、ＣＮ関与（ＬＴＥの場合、ＥＰＣ）なしに実施され、すなわち、準備メッセージはｅＮＢ間で直接交換される。ＨＯ完了フェーズ中のソース側におけるリソースのリリースは、ｅＮＢによってトリガされる。図７は、モビリティ管理エンティティ（ＭＭＥ）もサービングゲートウェイも変化しない基本ハンドオーバシナリオを示す。
【００２２】
ＬＴＥにおけるハンドオーバ準備、すなわち、図７におけるアクション３、４、５および６がさらに説明される。ハンドオーバ準備はサービングｅノードＢによって始動され、サービングｅノードＢは、場合によっては測定リポートおよびＲＲＭ情報に基づいてハンドオーバについての決定を行って、無線デバイスをハンドオフする。次いで、以下のステップが行われる。
−  アクション４：ソースｅＮＢは、ハンドオーバ要求メッセージをターゲットｅＮＢに発行して、ターゲット側においてＨＯを準備するために必要な情報（ソースｅＮＢにおける無線デバイスＸ２シグナリングコンテキスト参照、無線デバイスＳ１  ＥＰＣシグナリングコンテキスト参照、ターゲットセルＩＤ、ＫｅＮＢ、ソースｅＮＢにおける無線デバイスのＣ−ＲＮＴＩを含むＲＲＣコンテキスト、アクセス層（ＡＳ）設定、強化型無線アクセスベアラ（Ｅ−ＲＡＢ：ｅｎｈａｎｃｅｄ  ｒａｄｉｏ  ａｃｃｅｓｓ  ｂｅａｒｅｒ）コンテキストおよびソースセルの物理レイヤＩＤ＋可能な無線リンク障害（ＲＬＦ）回復のための短い媒体アクセス制御（ＭＡＣ）−Ｉ）を受け渡す。無線デバイスＸ２シグナリング参照および／または無線デバイスＳ１シグナリング参照は、ターゲットｅＮＢがソースｅＮＢとＥＰＣとをアドレス指定することを可能にする。Ｅ−ＲＡＢコンテキストは、必要な無線ネットワークレイヤ（ＲＮＬ）およびトランスポートネットワークレイヤ（ＴＮＬ）アドレス指定情報と、Ｅ−ＲＡＢのサービス品質（ＱｏＳ）プロファイルとを含む。
−  アクション５：リソースがターゲットｅＮＢによって許可され得る場合、ＨＯが成功する見込みを増加させるために、受信されたＥ−ＲＡＢ  ＱｏＳ情報に応じて、ターゲットｅＮＢによってアドミッション制御が実施され得る。ターゲットｅＮＢは、受信されたＥ−ＲＡＢ  ＱｏＳ情報に従って、必要とされるリソースを設定し、Ｃ−ＲＮＴＩと、随意にＲＡＣＨプリアンブルとを予約する。ターゲットセル中で使用されるべきＡＳ設定は、独立して指定される（すなわち「確立」）か、またはソースセル中で使用されるＡＳ設定と比較したデルタとして指定され得る（すなわち「再設定」）。
−  アクション６：ターゲットｅＮＢは、レイヤ１（Ｌ１）および／またはレイヤ２（Ｌ２）を用いたＨＯを準備し、ハンドオーバ要求確認応答（ＡＣＫ）をソースｅＮＢに送る。ハンドオーバ要求確認応答メッセージは、ハンドオーバを実施するためのＲＲＣメッセージとして無線デバイスに送られるべきトランスペアレントコンテナを含む。コンテナは、新しいＣ−ＲＮＴＩ、選択されたセキュリティアルゴリズムのためのターゲットｅＮＢセキュリティアルゴリズム識別子を含み、専用ＲＡＣＨプリアンブル、場合によってはいくつかの他のパラメータ、すなわちアクセスパラメータ、システム情報ブロック（ＳＩＢ）などを含み得る。ハンドオーバ要求確認応答メッセージは、必要な場合、フォワーディングトンネルのためのＲＮＬおよび／またはＴＮＬ情報をも含み得る。
【００２３】
注：ソースｅＮＢがハンドオーバ要求確認応答を受信するとすぐに、または、ハンドオーバコマンドの送信がダウンリンクにおいて始動されるとすぐに、データフォワーディングが始動され得る。
【００２４】
ＮＲにおけるハンドオーバ準備は、主に、規格化におけるＲＡＮ３問題であり、ＮＲ内モビリティに関係する作業は開始していない。一方、ＲＡＮ２  ＴＲでは、ＬＴＥの場合と同様のノード間シグナリングがベースラインとして仮定された。したがって、ＮＲにおいてｇノードＢとして示される無線ネットワークノード間で交換される同様のＸｎシグナリング、すなわち、サービングからターゲットへのハンドオーバ要求と、その後に続く、アドミッション制御がターゲット中で行われたときのハンドオーバ要求ＡＣＫとが予想される。
【００２５】
しかしながら、ノード間シグナリングに関するＬＴＥとの類似度にもかかわらず、ＮＲは、ビームフォーミングを使用して、カバレッジを改善し、および／または、少なくとも、データチャネル信号対干渉プラス雑音比（ＳＩＮＲ）を高めるべきであり、それにより、無線デバイスが極めて高いデータレートを用いて送信／受信する、高周波数帯域を含む、広範囲の周波数をサポートするためのシステムとして設計されるべきである。しかしながら、無線デバイスがハンドオーバ実行中にターゲットからのビームにアクセスするのに時間を要し得、これは、無線通信ネットワークの性能を低減または制限し得る。
【発明の概要】
【００２６】
本明細書の実施形態の目的は、無線通信ネットワークにおいてビームフォーミングを使用するときの無線通信ネットワークの性能を改善する機構を提供することである。
【００２７】
一態様によれば、目的は、無線通信ネットワークにおける無線デバイスの通信を扱うための第１の無線ネットワークノードによって実施される方法を提供することによって達成される。第１の無線ネットワークノードは無線デバイスをサーブし、無線通信ネットワークは第２の無線ネットワークノードをさらに備える。第１の無線ネットワークノードは、無線デバイスが第１の無線ネットワークノードにおけるビーム設定を使用するデバイスであると決定する。第１の無線ネットワークノードは、無線デバイスがビーム設定を使用していると決定されたとき、第２の無線ネットワークノードに、指示をもつメッセージを送信する。指示は、無線デバイスが第２の無線ネットワークノードへのアクセスを得ること、たとえばハンドオーバを要求し、また、第２の無線ネットワークノードにおける、ビーム設定の使用を要求し、たとえばあるサービス品質（ＱｏＳ）またはサービスの性能、あるいはナロービームを要求する。
【００２８】
別の態様によれば、目的は、無線通信ネットワークにおける無線デバイスの通信を扱うための第２の無線ネットワークノードによって実施される方法であって、無線通信ネットワークが、無線デバイスをサーブする第１の無線ネットワークノードを備える、方法を提供することによって達成される。第２の無線ネットワークノードは、無線デバイスが第２の無線ネットワークノードへのアクセスを得、また、第２の無線ネットワークノードにおけるビーム設定の使用を要求することを要求する指示をもつメッセージを、第１の無線ネットワークノードから受信する。
【００２９】
本明細書の実施形態は、協調問題に対処し、無線ネットワークノード間シグナリング、すなわち、たとえば、Ｘｎインターフェース、たとえばＸ２のようなインターフェースをわたる異なる無線ネットワークノード間のシグナリングに焦点を当てる。いくつかの実施形態では、特にＣＳＩ−ＲＳ設定がたとえばＮＲにおけるハンドオーバ実行最適化のために使用される場合、Ｘｎ：ハンドオーバ要求およびＸｎ：ハンドオーバ要求Ａｃｋのようなものに対する強化が開示される。
【００３０】
また別の態様によれば、目的は、無線通信ネットワークにおける無線デバイスの通信を扱うための第１の無線ネットワークノードを提供することによって達成される。第１の無線ネットワークノードは無線デバイスをサーブするように設定され、無線通信ネットワークは第２の無線ネットワークノードをさらに備える。第１の無線ネットワークノードは、無線デバイスが第１の無線ネットワークノードにおけるビーム設定を使用するデバイスであると決定するように設定される。無線デバイスがビーム設定を使用していると決定されたとき、第１の無線ネットワークノードは、第２の無線ネットワークノードに、無線デバイスが第２の無線ネットワークノードへのアクセスを得、また、第２の無線ネットワークノードにおけるビーム設定の使用を要求することを要求する指示をもつメッセージを送信するように設定される。
【００３１】
さらに別の態様によれば、目的は、無線通信ネットワークにおける無線デバイスの通信を扱うための第２の無線ネットワークノードを提供することによって達成される。無線通信ネットワークは、無線デバイスをサーブする第１の無線ネットワークノードを備える。第２の無線ネットワークノードは、無線デバイスが第２の無線ネットワークノードへのアクセスを得、また、第２の無線ネットワークノードにおけるビーム設定の使用を要求することを要求する指示をもつメッセージを、第１の無線ネットワークノードから受信するように設定される。
【００３２】
少なくとも１つのプロセッサ上で実行されたとき、少なくとも１つのプロセッサに、第１の無線ネットワークノードまたは第２の無線ネットワークノードによって実施される、本明細書の方法を行わせる命令を備えるコンピュータプログラムも、本明細書で提供される。さらに、少なくとも１つのプロセッサ上で実行されたとき、少なくとも１つのプロセッサに、第１の無線ネットワークノードまたは第２の無線ネットワークノードによって実施される、本明細書の方法を行わせる命令を備えるコンピュータプログラムを記憶した、コンピュータ可読記憶媒体が、本明細書で提供される。
【００３３】
本明細書の実施形態は、第１の無線ネットワークノードなどのサービング無線ネットワークノードが、無線デバイスが第２の無線ネットワークノードへのアクセス時にビーム設定またはビーム、たとえばあるＱｏＳを提供するビームを必要とすることを第２の無線ネットワークノードなどのターゲット無線ネットワークノードに通知するビーム送信の協調を提供する。第２の無線ネットワークノードは、次いで、たとえばビームまたは同様のもの上での送信をトリガするためにこのメッセージを使用し得る。これは、ビームフォーミングを使用するときの無線通信ネットワークの性能を改善する。
【００３４】
次に、同封の図面に関して実施形態がより詳細に説明される。
【図面の簡単な説明】
【００３５】
【図１】所与のサブフレームおよびリソースブロックのためのＣＳＩ−ＲＳリソース割り当てを示す図である。
【図２】ＣＳＩ−ＲＳ送信のチャネル推定を示す図である。
【図３】複数の協調セルにわたるＣＳＩ−ＲＳリソース割り当てを示す図である。
【図４】ＬＴＥにおけるビーム選択のＣＳＩ−ＲＳサポートを示す図である。
【図５】ＬＴＥにおけるビームフォーミングされたＣＳＩ−ＲＳを示す図である。
【図６】ＣＳＩ−ＲＳ−Ｃｏｎｆｉｇ情報エレメントを示す図である。
【図７】ＬＴＥにおけるハンドオーバプロセスを示す図である。
【図８】本明細書の実施形態による、無線通信ネットワークを示す概観を示す図である。
【図９ａ】追加のＲＳとＲＡＣＨ設定との間のマッピングを無線デバイスに提供する様式を示すシグナリング方式の図である。
【図９ｂ】本明細書の実施形態による、第１の無線ネットワークノードによって実施される方法を示す概略フローチャートである。
【図９ｃ】本明細書の実施形態による、第２の無線ネットワークノードによって実施される方法を示す概略フローチャートである。
【図１０】本明細書の実施形態による、概略的な組み合わせられたフローチャートおよびシグナリング方式の図である。
【図１１】本明細書の実施形態による、第１の無線ネットワークノードを示すブロック図である。
【図１２】本明細書の実施形態による、第２の無線ネットワークノードを示すブロック図である。
【発明を実施するための形態】
【００３６】
本明細書の実施形態は、一般に、無線通信ネットワークに関する。図８は、無線通信ネットワーク１を示す概観である。無線通信ネットワーク１は、１つまたは複数のＲＡＮと、１つまたは複数のＣＮとを備える。無線通信ネットワーク１は、ほんの数個の可能な実装形態を挙げると、新しい無線（ＮＲ）、Ｗｉ−Ｆｉ、ＬＴＥ、ＬＴＥアドバンスト、第５世代（５Ｇ）、広帯域符号分割多元接続（ＷＣＤＭＡ）、モバイル通信用グローバルシステム／ＧＳＭ進化型高速データレート（ＧＳＭ／ＥＤＧＥ：Ｇｌｏｂａｌ  Ｓｙｓｔｅｍ  ｆｏｒ  Ｍｏｂｉｌｅ  ｃｏｍｍｕｎｉｃａｔｉｏｎｓ／ｅｎｈａｎｃｅｄ  Ｄａｔａ  ｒａｔｅ  ｆｏｒ  ＧＳＭ  Ｅｖｏｌｕｔｉｏｎ）、ワールドワイドインターオペラビリティフォーマイクロウェーブアクセス（ＷｉＭａｘ）、またはウルトラモバイルブロードバンド（ＵＭＢ）など、１つまたはいくつかの異なる技術を使用し得る。本明細書の実施形態は、５Ｇコンテキストにおいて特に関心の対象となる最近の技術傾向に関する。しかしながら、実施形態は、たとえばＷＣＤＭＡおよびＬＴＥなど、既存の無線通信システムのさらなる発展においても適用可能である。
【００３７】
無線通信ネットワーク１において、移動局、非アクセスポイント（非ＡＰ）ＳＴＡ、ＳＴＡ、ユーザ機器および／または無線端末など、無線デバイス、たとえば無線デバイス１０が、１つまたは複数のアクセスネットワーク（ＡＮ）、たとえばＲＡＮを介して１つまたは複数のコアネットワーク（ＣＮ）に通信する。「無線デバイス」が、ネットワークノードによってサーブされるエリア内でネットワークノードとの無線通信を使用して通信することが可能な、任意の端末、無線通信端末、ユーザ機器、マシン型通信（ＭＴＣ）デバイス、デバイスツーデバイス（Ｄ２Ｄ）端末、またはノード、たとえば、スマートフォン、ラップトップ、モバイルフォン、センサー、リレー、モバイルタブレット、さらには小さい基地局を意味する、非限定的な用語であることが当業者によって理解されるべきである。
【００３８】
無線通信ネットワーク１は、ＮＲ、ＬＴＥ、Ｗｉ−Ｆｉ、ＷｉＭＡＸまたは同様のものなど、第１の無線アクセス技術（ＲＡＴ）の、地理的エリア、第１のサービスエリア１１または第１のビームまたはビームグループ上の無線カバレッジを提供する、単に無線ネットワークノードとも呼ばれる、第１の無線ネットワークノード１２を備える。第１の無線ネットワークノード１２は、送信および受信ポイント、たとえば、無線ローカルエリアネットワーク（ＷＬＡＮ）アクセスポイントまたはアクセスポイント局（ＡＰ  ＳＴＡ）などの無線ネットワークノード、アクセスノード、アクセスコントローラ、基地局、たとえばノードＢ、エボルブドノードＢ（ｅＮＢ、ｅノードＢ）、ｇノードＢなどの無線基地局、基地トランシーバ局、無線リモートユニット、アクセスポイント基地局、基地局ルータ、無線基地局の送信構成、スタンドアロンアクセスポイント、あるいは、たとえば使用される第１の無線アクセス技術および用語に応じて第１の無線ネットワークノード１２によってサーブされるサービスエリア内で無線デバイスと通信することが可能な任意の他のネットワークユニットまたはノードであり得る。第１の無線ネットワークノード１２はサービングネットワークノードと呼ばれることがあり、第１のサービスエリアはソースビームと呼ばれることがあり、サービングネットワークノードは、無線デバイス１０をサーブし、無線デバイス１０へのＤＬ送信および無線デバイス１０からのＵＬ送信の形式で無線デバイス１０と通信する。
【００３９】
第２の無線ネットワークノード１３が、ＮＲ、ＬＴＥ、Ｗｉ−Ｆｉ、ＷｉＭＡＸまたは同様のものなど、第２の無線アクセス技術（ＲＡＴ）の第２のサービスエリア１４または第２のビームまたはビームグループ上の無線カバレッジをさらに提供し得る。第１のＲＡＴと第２のＲＡＴとは、同じまたは異なるＲＡＴであり得る。第２の無線ネットワークノード１３は、送信および受信ポイント、たとえば、無線ローカルエリアネットワーク（ＷＬＡＮ）アクセスポイントまたはアクセスポイント局（ＡＰ  ＳＴＡ）などの無線ネットワークノード、アクセスノード、アクセスコントローラ、基地局、たとえばノードＢ、エボルブドノードＢ（ｅＮＢ、ｅノードＢ）、ｇノードＢなどの無線基地局、基地トランシーバ局、無線リモートユニット、アクセスポイント基地局、基地局ルータ、無線基地局の送信構成、スタンドアロンアクセスポイント、あるいは、たとえば使用される第２の無線アクセス技術および用語に応じて第２の無線ネットワークノード１３によってサーブされるエリア内で無線デバイスと通信することが可能な任意の他のネットワークユニットまたはノードであり得る。第２の無線ネットワークノード１３はネイバーネットワークノードと呼ばれることがあり、第２のサービスエリア１４は、ネイバリングビームまたはターゲットビームと呼ばれることがある。
【００４０】
サービスエリアが、無線カバレッジのエリアを規定するために、セル、ビーム、モビリティ測定ビーム、ビームグループまたは同様のものとして示され得ることに留意されたい。無線ネットワークノードは、それぞれのサービスエリア上でＲＳを送信する。したがって、第１および第２の無線ネットワークノードは、それぞれの無線ネットワークノードの動作エリアをカバーするのに必要と見なされるのと同数のＴｘビームを使用して、多数の異なる方向において、時間的に、繰り返し、ＣＳＩ−ＲＳまたはビーム参照信号（ＢＲＳ）を送信し得る。したがって、第１の無線ネットワークノード１２は、無線通信ネットワーク１において第１のサービスエリア１１または第１のビームのための第１の参照信号、たとえば第１のＣＳＩ−ＲＳを使用して第１のサービスエリア上の無線カバレッジを提供する。第２の無線ネットワークノード１３は、無線通信ネットワークにおいて第２のサービスエリア１４または第２のビームのための第２の参照信号、たとえば第２のＣＳＩ−ＲＳを使用して第２のサービスエリア１４上の無線カバレッジを提供する。
【００４１】
サービングサービスエリアとターゲットサービスエリアの両方が同じ無線ネットワークノードに属し得る場合、ハンドオーバ実行中に、より正確には無線デバイスがターゲットサービスエリアと同期し、ランダムアクセスプロシージャを始動しているとき、無線デバイスによって使用されるべきターゲットサービスエリアのＲＡＣＨリソースにマッピングされた、ターゲットサービスエリアによって送信されたＣＳＩ−ＲＳ設定を含んでいる、サービングサービスエリアから無線デバイスへのハンドオーバコマンドに基づくソリューションが提案された。ハンドオーバ実行中に、無線デバイスは、１つのＣＳＩ−ＲＳまたはＣＳＩ−ＲＳのセット（したがってＤＬビーム）、たとえば（１つまたは複数の）最も強いＣＳＩ−ＲＳを選択し、選択されたＣＳＩ−ＲＳに関連するＲＡＣＨリソースを使用して、ランダムアクセスを始動する。プリアンブル検出に基づいて、ターゲットセルは、図９ａに示されているように、ランダムアクセス応答（ＲＡＲ）を送信し、高利得物理ダウンリンク共有チャネル（ＰＤＳＣＨ）を使用するユーザプレーン（ＵＰ）データ送信を含む、接続を続けるための最も強いＤＬビームがどれであるかを知る。
【００４２】
アクション９０１。サービングセルを提供する無線ネットワークノードが、ＲＡＣＨ設定への１つまたは複数の参照信号のマッピングに関係する設定パラメータを設定または送信する。たとえば、サービングセルの無線ネットワークノードは、無線デバイスに、専用ＲＡＣＨ設定へのターゲットＣＳＩ−ＲＳマッピングを含んでいるｍｏｂｉｌｉｔｙＣｏｎｔｒｏｌＩｎｆｏをもつＲＲＣＣｏｎｎｅｃｔｉｏｎＲｅｃｏｎｆｉｇｕｒａｔｉｏｎを送信し得る。
【００４３】
アクション９０２。ターゲットセルの無線ネットワークノードは、次いで、いくつかの（Ｎ個の）、ナロービームの送信、たとえば異なるビームのＣＳＩ−ＲＳ送信を送信または実施し得る。
【００４４】
アクション９０３。無線デバイスは、次いで、少なくとも１つのＣＳＩ−ＲＳ（たとえばビームｎ＊中のＣＳＩ−ＲＳ）を選択し、マッピングに従って専用ＲＡＣＨ設定をルックアップし得る。
【００４５】
アクション９０４。無線デバイスは、次いで、選択されたＣＳＩ−ＲＳのＲＡＣＨ設定に従ってランダムアクセスプリアンブルを送信し得る。
【００４６】
アクション９０５。ターゲットセルの無線ネットワークノードは、次いで、受信されたＲＡプリアンブルに基づいてビーム送信を始動し得る。たとえば、プリアンブル受信に基づいて、無線ネットワークノードは、ＲＡＲを送信するための最良のＤＬナロービーム、たとえばビームｎ＊を知る。
【００４７】
アクション９０６。ターゲットセルの無線ネットワークノードは、したがって、無線デバイスにビームｎ＊中でＲＡＲを送信し得る。
【００４８】
アクション９０７。無線デバイスは、次いで、ターゲットｇノードＢなどのターゲットセルの無線ネットワークノードに、ＲＲＣＣｏｎｎｅｃｔｉｏｎＲｅｃｏｎｆｉｇｕｒａｔｉｏｎ完了を送信し得る。
【００４９】
アクション９０８。ターゲットセルの無線ネットワークノードは、次いで、ハンドオーバの直後に、高利得／ナロービームを使用し得る。
【００５０】
アクション９０９。ターゲットセルの無線ネットワークノードは、したがって、無線デバイスへの最適化されたＤＬビームｎ＊中でのＵＰ送信を実施し得る。
【００５１】
セルが同じ無線ネットワークノードに属さない場合、ハンドオーバ要求およびハンドオーバ要求Ａｃｋ中の既存のＸ２シグナリング以外に追加の協調が必要とされ得、ＬＴＥにおける現在のソリューションはそれをサポートしない。
【００５２】
ＬＴＥにおけるＸ２上の現在のハンドオーバ準備プロシージャは、無線デバイスがハンドオーバを実行し、同時に、ターゲットサービスエリアにおいてビーム改良／ビーム選択を実施することを可能にするための、第２の無線ネットワークノード１３によって送信されたＣＳＩ−ＲＳ設定とＲＡＣＨリソース（時間、周波数およびプリアンブル）ＲＳとの間のマッピングを可能にしない。
【００５３】
本明細書の実施形態によれば、問題は、第１の無線ネットワークノード１２と第２の無線ネットワークノード１３などのターゲット無線ネットワークノードとの間など、２つの無線アクセスネットワーク機能（または論理ノード）間の方法によって解決され得る。無線デバイス１０をサーブする第１の無線ネットワークノード１２は、たとえばハンドオーバされるべき無線デバイス１０（または無線デバイスのセット）などの候補無線デバイスが、シームレスモビリティのための第２のサービスエリア中でのＰＤＳＣＨの高利得ビームフォーミングを用いた高データレートチャネルなどのビーム設定の使用を必要とすることを暗示する情報を、第２の無線ネットワークノード１３に提供する。この情報は、Ｘｎ：ハンドオーバ要求メッセージ中で送信され得る。
【００５４】
アドミッション制御中に、第２の無線ネットワークノード１３は、無線デバイス１０を受け付け、少なくとも無線デバイス１０がハンドオーバ実行を実施する時間まで有効である（すなわち、これらの送信が予想されるべきである）、ＣＳＩ−ＲＳなどの高利得ビームフォーミングされた参照信号（ＲＳ）の設定などのビーム設定と、第２の無線ネットワークノード１３におけるＲＡＣＨ（すなわち、時間、周波数およびプリアンブルシーケンス）と異なるＲＳ、たとえばＣＳＩ−ＲＳ（時間、周波数およびシーケンス）との間のマッピングとで応答し得る。本明細書の実施形態は、ノード間の場合でさえ、シームレスモビリティのためのビーム改良／選択を伴う組み合わせられたセル間モビリティのための協調を提供する。セル間モビリティは異なるセル間の移動を意味し、ノード間は異なる無線ネットワークノード間を意味する。
【００５５】
ターゲットセルとサービングセルとが異なる無線ネットワークノードからのシナリオにおいてさえ、ネットワークは、ワイドビーム中のＳＳバーストセットの送信を実装し、必要とされるときのみ、ハンドオーバを実施する無線デバイスが、ターゲットセル中でナロービームに迅速にアクセスすることを可能にすることができ、ナロービームは要求されるＱｏＳまたは要求されるサービスの性能を提供するビームである。それは、高データレートサービスのためのシームレスモビリティを可能にし、同時に、高いオーバーヘッド（さらには、固定オーバーヘッドの場合、高いレイテンシ）を伴うソリューションを実装するようにネットワークに強制しない。ナロービームは、ナロービーム中でビームフォーミングされるＲＳとして規定され得、ワイドビームは、ワイドビーム中でビームフォーミングされるＲＳとして規定され得る。ビームは、ビームフォーミングされる、すなわち、ある方向において送信される参照信号である。
【００５６】
一般的なシナリオでは、「無線ネットワークノード」という用語が「送信および受信ポイント」と置換され得ることに留意されたい。一般に、送信されたＲＳまたは異なる同期信号およびＢＲＳに基づいて、送信受信ポイント（ＴＲＰ）間の区別を行い得る。いくつかのＴＲＰは同じ無線ネットワークノードに論理的に接続され得るが、ＴＲＰが地理的に分離されているか、または異なる伝搬方向を向いている場合、ＴＲＰは、異なる無線ネットワークノードと同じ問題を受ける。後続のセクションでは、「無線ネットワークノード」および「ＴＲＰ」という用語は交換可能と考えられ得る。
【００５７】
無線通信ネットワークは、仮想的に、いくつかのネットワーク／ＲＡＮスライスにスライスされたネットワークであり得、各ネットワーク／ＲＡＮスライスは１つまたは複数のタイプの無線デバイスおよび／または１つまたは複数のタイプのサービスをサポートし、すなわち、各ネットワークスライスは機能性の異なるセットをサポートすることにさらに留意されたい。ネットワークスライシングは、ネットワーク／ＲＡＮスライスが異なるサービスおよび使用事例のために使用され、これらのサービスおよび使用事例が、異なるネットワークスライスにおいてサポートされる機能性の差をもたらし得る可能性をもたらす。各ネットワーク／ＲＡＮスライスは、それぞれのネットワークスライスのためのサービス／機能性を提供する１つまたは複数のネットワークノードまたはネットワークノードのエレメントを備え得る。各ネットワーク／ＲＡＮスライスは、ＲＡＮノードおよび／またはコアネットワークノードなど、ネットワークノードを備え得る。
【００５８】
次に、いくつかの実施形態による、無線通信ネットワーク１における無線デバイス１０の通信を扱うための第１の無線ネットワークノード１２によって実施される方法アクションが、図９ｂに示されているフローチャートを参照しながら説明される。アクションは、以下で述べられる順序でとられる必要がなく、任意の好適な順序でとられ得る。いくつかの実施形態において実施されるアクションは、点線ボックスでマークされる。第１の無線ネットワークノード１２は無線デバイス１０をサーブし、無線通信ネットワーク１は第２の無線ネットワークノード１３をさらに備える。
【００５９】
アクション９１１。第１の無線ネットワークノード１２は、無線デバイス１０から測定を受信し得る。測定は、条件を満たす、第２の無線ネットワークノード１３の信号強度または品質を指示する。条件は、測定がハンドオーバのための信号強度または品質を満たす、信号強度または品質がしきい値を上回る、などであり得る。
【００６０】
アクション９１２。第１の無線ネットワークノード１２は、無線デバイス１０が第１の無線ネットワークノード１２におけるビーム設定を使用するデバイスであると決定する。たとえば、第１の無線ネットワークノード１２は、バッファステータスリポート（ＢＳＲ）、前のデータレート要件パターン、無線デバイス１０のＱｏＳプロファイル、現在使用されているベアラ、高いデータレートにアクセスするための高信頼性および低レイテンシのための何らかの無線デバイスポリシー、またはこれらの情報のいずれかの組合せを分析することによって、無線デバイス１０がビーム設定を使用していると決定し得る。
【００６１】
アクション９１３。第１の無線ネットワークノード１２は、さらに、無線デバイス１０がビーム設定を使用していると決定されたとき、第２の無線ネットワークノード１３に、無線デバイス１０が第２の無線ネットワークノード１３へのアクセスを得、また、第２の無線ネットワークノード１３におけるビーム設定の使用を要求することを要求する指示をもつメッセージを送信する。メッセージは、アクション９１１における条件が満たされたときに送信され得る。メッセージはＸ２メッセージであり得る。指示は、シームレスモビリティのための第２の無線ネットワークノード１３におけるＰＤＳＣＨのビームフォーミングを用いた高データレートチャネルの使用を指示することによってビーム設定の使用を要求し得る。指示は、第２の無線ネットワークノード１３にＸ２シグナリング中で送信され得る。指示は、要求されるサービス品質またはサービスの性能を指示することによってビーム設定の使用を要求し得る。したがって、第１の無線ネットワークノード１２は、無線デバイス１０がビーム設定を使用するデバイスであると決定した後に、たとえばアクション９１１において受信された測定に基づいて、第２の無線ネットワークノード１３に無線デバイスをハンドオーバすることを決め得る。メッセージは、無線デバイス１０によって報告され、第２の無線ネットワークノード１３に関連するビーム品質指示をさらに備え得る。
【００６２】
アクション９１４。第１の無線ネットワークノード１２は、さらに、第２の無線ネットワークノード１３から確認を受信し得る。確認は、参照信号（ＲＳ）とランダムアクセスチャネル（ＲＡＣＨ）設定とのマッピング、および／または第２の無線ネットワークノード１３においてビーム中で送信されたＲＳの設定を指示する設定指示を備える。
【００６３】
アクション９１５。ＲＳとＲＡＣＨ設定とのマッピング、および／またはＲＳ設定は、無線デバイス１０にフォワーディングされ得る。
【００６４】
次に、いくつかの実施形態による、無線通信ネットワーク１における無線デバイス１０の通信を扱うための第２の無線ネットワークノード１３によって実施される方法アクションが、図９ｃに示されているフローチャートを参照しながら説明される。アクションは、以下で述べられる順序でとられる必要がなく、任意の好適な順序でとられ得る。いくつかの実施形態において実施されるアクションは、点線ボックスでマークされる。無線通信ネットワーク１は、無線デバイス１０をサーブする第１の無線ネットワークノード１２を備える。
【００６５】
アクション９２１。第２の無線ネットワークノード１３は、無線デバイス１０が第２の無線ネットワークノード１３へのアクセスを得、また、第２の無線ネットワークノード１３における、ナロービームなどのビーム設定の使用を要求することを要求する指示をもつメッセージを、第１の無線ネットワークノード１２から受信する。指示は、シームレスモビリティのための第２の無線ネットワークノード１３におけるＰＤＳＣＨのビームフォーミングを用いた高データレートチャネルの使用を指示することによってビーム設定の使用を要求し得る。指示は、第１の無線ネットワークノード１２からＸ２シグナリング中で送信され得る。指示は、要求されるサービス品質または要求されるサービスの性能を指示することによって、ナロービームなどのビーム設定の使用を要求し得る。メッセージは、無線デバイス１０によって報告され、第２の無線ネットワークノード１３に関連するビーム品質指示をさらに備え得る。
【００６６】
アクション９２２。第２の無線ネットワークノード１３は、無線デバイス１０を承認すべきかどうかを決定し得る。
【００６７】
アクション９２３。第２の無線ネットワークノード１３は、無線デバイス１０を承認することが決定されたとき、第１の無線ネットワークノード１２に確認を送信し得る。確認は、ＲＳとＲＡＣＨ設定とのマッピング、および／または第２の無線ネットワークノード１３においてビーム中で送信されたＲＳの設定を指示する設定指示を備える。
【００６８】
アクション９２４。第２の無線ネットワークノード１３は、それぞれのビーム設定の１つまたは複数のＲＳの送信を開始し得る。したがって、メッセージの受信は、ビーム設定のＲＳの送信の始動をトリガし得る。
【００６９】
アクション９２５。第２の無線ネットワークノード１３は、ＲＡＣＨ設定の少なくとも一部を使用して、無線デバイス１０からの始動されるランダムアクセスプロシージャを検出し得る。ＲＡＣＨ設定は、送信された１つまたは複数のＲＳのうちのＲＳにマッピングされる。
【００７０】
アクション９２６。第２の無線ネットワークノード１３は、次いで、無線デバイスへのまたは無線デバイスからのデータ送信を実施するためにＲＳに関連するビーム設定を使用し得る。
【００７１】
前に説明された問題は、サービングｇノードＢおよびターゲットｇノードＢなどの２つの無線ネットワークノード機能（または論理ノード）間の方法によって解決される。本明細書の実施形態では、サービングｇノードＢ、すなわち第１の無線ネットワークノードは、ハンドオーバされるべき候補無線デバイス（または無線デバイスのセット）が、シームレスモビリティのためのターゲットセル中での物理ダウンリンク共有チャネル（ＰＤＳＣＨ）の高利得ビームフォーミングを用いた高データレートチャネルの使用を必要とすることを暗示する情報を、ターゲットｇノードＢ、すなわち第２の無線ネットワークノードに提供する。それは、Ｘｎ：ハンドオーバ要求メッセージ中で送信され得る。
【００７２】
アドミッション制御中に、第２の無線ネットワークノードは、無線デバイスを受け付け、少なくとも無線デバイスがハンドオーバ実行を実施する時間まで有効であり得る（すなわち、これらの送信が予想されるべきである）、ＣＳＩ−ＲＳなどの高利得ビームフォーミングされた参照信号（ＲＳ）の設定、および／または第２の無線ネットワークノードにおけるＲＡＣＨ設定（すなわち、時間、周波数およびプリアンブルシーケンス）と異なるＣＳＩ−ＲＳ（時間、周波数およびシーケンス）との間のマッピングで応答し得る。
【００７３】
この設定が送信されると、第２の無線ネットワークノードは、第２の無線ネットワークノードが（同じ「サービス」を要求していることがある他のネイバー無線ネットワークノードをサーブするために）すでに送信していない場合、これらのビームフォーミングされたＲＳの送信を開始し得、タイマーをトリガし、そこから、第２の無線ネットワークノードはプリアンブルが送信されるまで待つ。
【００７４】
第１の無線ネットワークノードがこの設定を受信すると、第１の無線ネットワークノードは、ハンドオーバ実行のために、この設定を伴って無線デバイスを設定し得る。
【００７５】
プリアンブルが検出された場合、第２の無線ネットワークノードは、ＲＡＲを送るための最良のＤＬビームを知り、高利得ビームフォーミングされたＰＤＳＣＨを介した制御プレーンシグナリングおよびＵＰデータ送信を続け得る。
【００７６】
ＲＡＣＨとビームフォーミングされたＲＳのマッピングが無線デバイスのグループのためにどのように使用され得るかに関係するさらなる実施形態があり得る。
【００７７】
ハンドオーバ準備の場合が本明細書で例示されるが、実施形態がたとえばデュアルコネクティビティにおける２次セルのセットアップに適用される場合、態様の大部分は同様である。さらに、本明細書の方法を実施するために第１および第２の無線ネットワークノードも提供される。
【００７８】
ターゲットセルとサービングセルとが異なる無線ネットワークノードからのシナリオにおいてさえ、ネットワークは、ワイドビーム中のＳＳバーストセットの送信を実装し、必要とされるときのみ、ハンドオーバを実施する無線デバイスが、ターゲットセル中でナロービームに迅速にアクセスすることを可能にすることができる。それは、高データレートサービスのためのシームレスモビリティを可能にし、同時に、高いオーバーヘッド（さらには、固定オーバーヘッドの場合、高いレイテンシ）を伴うソリューションを実装するようにネットワークに強制しない。これは、無線通信ネットワークの性能の改善につながる。
【００７９】
図１０は、本明細書のいくつかの実施形態を示す概略的な組み合わせられたフローチャートおよびシグナリング方式である。本明細書で開示される実施形態によれば、サービング第１の無線ネットワークノード１２は、第２の無線ネットワークノード１３に関連する特定の候補ターゲットサービスエリアへの、無線デバイス１０（または無線デバイスのセット）のためのハンドオーバを要求することを決める。
【００８０】
アクション１００１。第１の無線ネットワークノード１２は、無線デバイス１０が、高いデータレートに関してシームレスモビリティを必要とし、したがって、無線デバイス１０がそこに移動するとすぐにターゲットセル中の（ナロー）ビームの使用を必要とすることを検出し得る。その検出は、バッファステータスリポート（ＢＳＲ）、前のデータレート要件パターン、無線デバイスのＱｏＳプロファイル、現在使用されているベアラ、高いデータレートにアクセスするための高信頼性および低レイテンシのための何らかの無線デバイスポリシー、またはこれらの情報のいずれかの組合せを分析することによって行われ得る。
【００８１】
サービング第１の無線ネットワークノード１２はまた、候補ターゲットサービスエリアに関連する（無線デバイス１０によって報告された）利用可能な無線リソース管理（ＲＲＭ）測定、および、特に、ターゲット第１の無線ネットワークノード１２に関連するビーム固有測定を有し得る。これらのビーム固有測定は、ビームが、セルレベル参照信号受信電力（ＲＳＲＰ）および／または、さらには、第２の無線ネットワークノード１３などのターゲットｇノードＢ中のＤＬビームにさらにマッピングされ得る、ターゲットの前に設定されたＣＳＩ−ＲＳリソースに関連するＲＳＲＰ値と一緒に送信され、送られたタイミングを介して区別され得る。これらは、図９ｂにおけるアクション９１１〜９１２の例である。
【００８２】
アクション１００２。その検出の後に、サービング第１の無線ネットワークノード１２は、ＰＤＳＣＨの高利得ビームフォーミングを用いてのみサポートされ得るデータレートを必要とするベアラの存在を指示する潜在的な入って来る無線デバイスのための、指示の例である、ＱｏＳパラメータを備える、ターゲット第２の無線ネットワークノード１３に送信されるＸｎ：ハンドオーバ要求を準備し、すなわち、無線デバイス１０は、ターゲットセル中の（ナロー）ビームへの極めて高速のアクセスを要求し得る。そのハンドオーバ要求は、ターゲットに関連するそのビーム固有情報、たとえば、ターゲットセル中のＤＬビームに関連するＣＳＩ−ＲＳ  ＲＳＲＰ値をも含んでいることがある。したがって、メッセージは、アクセスおよび使用を要求する指示を備え、無線デバイス１０によって報告され、第２の無線ネットワークノード１３に関連するビーム品質指示を備え得る。
【００８３】
これらは、図９ｂにおけるアクション９１３の例である。
【００８４】
アクション１００３。Ｘｎ：ハンドオーバ要求の受信時に、第２の無線ネットワークノード１３は、アドミッション制御を実施し、（１つまたは複数の）入って来る無線デバイスを受け付けることを決め得、Ｘｎ：ハンドオーバ要求Ａｃｋを準備し、Ｘｎ：ハンドオーバ要求Ａｃｋは、ターゲットセルによって送信されたＤＬビームに関連する、場合によっては同期信号、たとえばＰＳＳ／ＳＳＳ／ＴＳＳに対して、追加の参照信号とも呼ばれるＲＳのセット、およびそれらが送信される時間／周波数リソースの設定を含んでいることがある。時間領域指示は、追加のＲＳが時間的にいつ来ているかを通知するだけでなく、たとえばサブフレームの数に関して、追加のＲＳがどのくらいの時間の間存続するかをも通知し得る。設定はＲＳ識別子をも含んでいることがある。概して、時間／周波数／シーケンスリソースは、無線デバイス１０が、ターゲットサービスエリアに関連する、第２の無線ネットワークノード１３によって送信されたビームを区別することを可能にするべきである。設定は、これらのＲＳと、無線デバイス１０がターゲットサービスエリアにアクセスするための専用であるかまたは共通であるＲＡＣＨリソースとの間のマッピングを備える。候補ターゲット第２の無線ネットワークノード１３はまた、第２の無線ネットワークノード１３がハンドオーバ実行の目的でＣＳＩ−ＲＳを送信するための利用可能なリソースを有しないときなど、高利得ビームフォーミングされたＰＤＳＣＨのための必要とされる高データレート無線デバイス１０に関連するベアラおよび／またはフローを拒否し得る。  これは、図９ｃにおけるアクション９２２の一例である。
【００８５】
アクション１００４。したがって、第２の無線ネットワークノード１３は、たとえばＨＯ  ＡＣＫ中で、第１の無線ネットワークノード１２に追加のＲＳとＲＡＣＨ設定とのマッピングを送信する。
【００８６】
ターゲット第２の無線ネットワークノード１３が測定目的でサービング第１の無線ネットワークノード１２にＣＳＩ−ＲＳ設定を前に提供していた場合、ターゲット第２の無線ネットワークノード１３は、同じＣＳＩ−ＲＳ設定が再利用され得るという指示をＨＯ  ＡＣＫ中で提供することができ、次いで、ＲＳとＲＡＣＨリソースとの間のマッピングのみがＨＯ  ＡＣＫ中で提供される。
【００８７】
ターゲット第２の無線ネットワークノード１３が測定目的でサービング第１の無線ネットワークノード１２にＣＳＩ−ＲＳ設定を前に提供していた場合、ターゲット第２の無線ネットワークノード１３は、デルタ設定、すなわち、前に設定されたＣＳＩ−ＲＳおよび追加のＣＳＩ−ＲＳに関連するＲＡＣＨリソースへのマッピングを伴う追加のＣＳＩ−ＲＳ設定が提供されているという指示をＨＯ  ＡＣＫ中で提供し得る。
【００８８】
ターゲット第２の無線ネットワークノード１３はまた、インデックスなどを介して指示されたとき、サービング第１の無線ネットワークノードによって使用されるべきデフォルト設定の指示で応答することができる。そのデフォルト設定はまた、有効時間に関連し、および／または、ターゲット第２の無線ネットワークノード１３から追って通知があるまで有効であると仮定され得る。有効時間は、ＣＳＩ−ＲＳが送信されることを予想されるサブフレームのある数によって計数され得る。それを行うことによって、サービング第１の無線ネットワークノード１２は、ＲＡＣＨマッピングの専用部分、たとえば競合なしアクセスのための専用プリアンブルを除いて、サービング第１の無線ネットワークノード１２が設定を受信すると、他の無線デバイスについてその同じＣＳＩ−ＲＳ設定を常に使用することができる。
【００８９】
また、ターゲット第２の無線ネットワークノード１３からの情報は、その情報が、無線デバイスが、サービングセルと完全に同期していないことがあるその複数の無線ネットワークノードのうちの１つにアクセスすることを可能にする場合、複数の同期参照（たとえば仮想ターゲットセルＩＤ）を含んでいることがある。
【００９０】
これらは、図９ｃにおけるアクション９２３の例である。
【００９１】
アクション１００５。第１の無線ネットワークノード１２は、次いで、１つまたは複数のランダムアクセスチャネル（ＲＡＣＨ）設定への参照信号のマッピングを送信し得る。たとえば、第１の無線ネットワークノード１２は、ＲＡＣＨ設定と、ワイドビーム中で送信される静的な信号とは異なって、高利得ビームフォーミングを用いて送信され得る参照信号（ＲＳ）との間のマッピングを、ＲＲＣ＿ＣＯＮＮＥＣＴＥＤ無線デバイスに提供する。静的な信号は、ＰＢＣＨのためのＮＲ−ＰＳＳ／ＮＲ−ＳＳＳ／ＴＳＳ／ＤＭＲＳなど、ＳＳブロック中で送信される信号であり、追加のＲＳはＣＳＩ−ＲＳであり得る。ネットワーク側では、ナロービーム中の追加のＲＳ、ワイドビーム中でＳＳブロックをビームフォーミングし、またはその逆であるが、これらの異なる設定のための使用事例が後で説明される。
【００９２】
マッピングは、第１の無線ネットワークノード１２が第１のサービスエリアから第２のサービスエリアに無線デバイス１０をハンドオーバすることを決めたとき、および／あるいは、第１の無線ネットワークノード１２が、デュアルコネクティビティ、キャリアアグリゲーションまたは等価物を確立することを希望するとき、無線デバイス１０に提供され得る。それは、無線デバイス１０がＬＴＥに接続され、第２のサービスエリアが、ＲＡＴ間ＮＲ−ＬＴＥデュアルコネクティビティ／緊密なインターワーキングのためのＮＲセル候補または潜在的２次セルであるとき、当てはまり得る。したがって、マッピングは、同じＲＡＴにおいてまたは異なるＲＡＴにおいて、ターゲット（またはＳＣｅｌｌである候補）に関連するＲＲＣＣｏｎｎｅｃｔｉｏｎＲｅｃｏｎｆｉｇｕｒａｔｉｏｎ中で無線デバイス１０に提供され得る。
【００９３】
本方法は、無線デバイス１０が、ハンドオーバでのように、または（ハンドオーバの場合のように）１次セルに加えて、（デュアルコネクティビティおよび／またはキャリアアグリゲーションのための）２次セルの確立の場合のようにのいずれかで、別のセルにアクセスするように無線デバイス１０をトリガするコマンドを受信することを含み得る。ハンドオーバの場合、たとえば、コマンドは、ターゲットセルのＫ個の候補ＲＡＣＨ設定のセットを含んでいるｍｏｂｉｌｉｔｙＣｏｎｔｒｏｌＩｎｆｏ  ＩＥ）をもつＲＲＣＣｏｎｎｅｃｔｉｏｎＲｅｃｏｎｆｉｇｕｒａｔｉｏｎメッセージであり、ここで、１≦Ｋ≦Ｎであり、ここで、Ｎは、ターゲットセル／サービスエリアによって利用可能にされるＤＬナロービームまたは追加のＲＳの数である。
【００９４】
これらのＫ個のＲＡＣＨ設定の各々は、少なくとも無線デバイスがターゲット／２次セル／サービスエリアにアクセスすることを試みている時間（すなわち、ハンドオーバ実行または２次セル確立）中に、ターゲットセル／サービスエリアによって利用可能にされるＮ個の追加のＲＳのうちの１つまたはそのサブセットに関連する。単一ＣＳＩ−ＲＳのための１つ以下のＲＡＣＨ設定があるべきである。しかし、複数のＣＳＩ−ＲＳが同じＲＡＣＨ設定を共有し得る。
【００９５】
追加のＲＳは、主としてセル内ビーム管理のために使用されるＣＳＩ−ＲＳであるが、同時にセル間モビリティ／２次セル確立およびビーム選択のためにも使用され得る。したがって、ＣＳＩ−ＲＳについて述べるとき、ＣＳＩ−ＲＳは一実施形態として理解されるべきであり、ＣＳＩ−ＲＳは、ＳＳブロック中で送信されない、ビーム管理のために使用される任意の他のＲＳであり得る。ＣＳＩ−ＲＳの特定の場合、ビームフォーミングされたＣＳＩ−ＲＳに関連するパラメータ、たとえば、その帯域幅、サブフレームおよびサブフレーム内の直交周波数分割多重（ＯＦＤＭ）シンボルなど、それらが送信されている時間領域リソース、サブフレームオフセットのベースとなる時間領域同期参照、（全帯域幅ＣＳＩ−ＲＳはないので）周波数領域リソース、ブラインド検出が予想されない場合、仮想セルＩＤ、または無線デバイス１０がＣＳＩ−ＲＳシーケンスを導出することを可能にする任意の他の識別子へのシーケンスおよび関連付けなどのパラメータがあり得る。
【００９６】
このコンテキストにおけるＲＡＣＨ設定は、たとえば、指定されたセルまたはあるプリアンブルあるいは同様のものへのランダムアクセス中に使用されるべきＲＡＣＨプリアンブルについての時間周波数リソースの情報を指す。したがって、ナロービーム選択を実施するために使用されるこれらの共通ＲＡＣＨパラメータに加えて、より多くの共通ＲＡＣＨパラメータがあり得る。
【００９７】
２次／ターゲットセル／サービスエリアにアクセスするように無線デバイス１０をトリガするＲＲＣメッセージは、ビーム中で送信された（ＣＳＩ−ＲＳであり得る）Ｎ個の追加のＲＳの設定を含んでいることがある。そのコンテキストでは、Ｎは１よりも大きいかまたは１に等しくなり得る。これらの追加のＲＳは異なるＤＬビーム中で送信されるかまたは異なるＤＬビームに関連することに注意されたい。ターゲットの／２次セルの追加のＲＳに関するその設定は、どのサブフレーム中でＲＳが送信されるか、どのくらいの時間の間か、（ＲＳが周期的である場合）どの周期性か、（たとえばサブフレームの数に関して）ＲＳがどのくらいの時間の間持続するかなどを無線デバイス１０に通知し得る。
【００９８】
代替的に、ＲＡＣＨマッピングおよび／または指示フラグのみがメッセージ中で提供される場合、無線デバイス１０は、ターゲット／２次セルに関連する（１つまたは複数の）追加のＲＳのための前に受信された設定を仮定し得る。メッセージが、（追加のＤＬビーム中に送信を追加することを暗示する）ＲＳを追加すること、（１つまたは複数の）ＲＳを削除することなど、ＲＳ設定を変更／更新するデルタ設定を含んでいることも可能である。
【００９９】
無線デバイス１０にマッピングを通知するＲＲＣメッセージなどのメッセージは、サービング／１次セルと比較したターゲットセル／２次セルの同期仮定に関する指示をも含んでいることがある。ＲＡＣＨ設定と追加のＲＳとの間のマッピングを受信すると、無線デバイス１０は、次いで、測定より前の検出が追加の同期を必要とし得るか否かを知り得る。測定より前の検出が追加の同期を必要とする場合、メッセージは、追加のＲＳの検出が追加の同期ステップを必要とし得ることを無線デバイス１０に通知するための暗黙的なやり方として、物理セル識別子（ＰＣＩ）をも含んでいることがある。
【０１００】
これらは、図９ｂにおけるアクション９１５の例である。
【０１０１】
アクション１００６。第２の無線ネットワークノード１３は、ナロービームの参照信号を送信する。これは、図９ｃにおけるアクション９２４の一例である。
【０１０２】
アクション１００７。無線デバイス１０は、受信された参照信号に関する測定に基づいて、ナロービーム、すなわち選択される参照信号を選択し得る。無線デバイス１０は、したがって、ハンドオーバ実行またはデュアルコネクティビティセットアップ中にビーム選択を実施し得る。たとえば、ターゲット／２次セルへのアクセスをトリガするＲＲＣメッセージ（たとえばＲＲＣＣｏｎｎｅｃｔｉｏｎＲｅｃｏｎｆｉｇｕｒａｔｉｏｎ）をサービングセルから受信した後に、無線デバイス１０は、ターゲットサービスエリアに関連する追加のＲＳを探索し、測定を実施し、たとえば、最良の参照信号受信電力（ＲＳＲＰ）、信号対干渉プラス雑音比（ＳＩＮＲ）、信号対雑音比（ＳＮＲ）、あるいは信号強度または信号品質の何らかの他の測度に基づいて、最良の品質または強度に関連するＲＳを選択する。言い換えれば、無線デバイス１０は、追加のＲＳを送信しているかまたは追加のＲＳに関連している最も強いＤＬナロービームを間接的に選択する。したがって、無線デバイス１０は、たとえば第１の無線ネットワークノードと第２の無線ネットワークノードの両方からの、ＲＳの信号強度または品質（Ｑ）を受信し、測定する。たとえば、無線デバイス１０は、ＲＳのうち、どのＲＳが最も高いＱを有するかを決定し得る。
【０１０３】
したがって、２次／ターゲットセルまたはサービスエリアにアクセスするためのＲＲＣメッセージを受信すると、無線デバイスは、以下を行い得る。
−  ３．１）ターゲットセルに関連する追加のＲＳを探索する。
−  ３．２）検出された追加のＲＳに基づいて測定を実施する。
−  ３．３）最良の品質に関連するＲＳを選択する。
【０１０４】
サブアクション３．１）において、アクション３０２におけるＲＲＣメッセージが、ターゲットセルまたは２次セルがサービングまたは１次セルと同期されるという指示を含んでいた場合、無線デバイス１０は、その１次セル同期ソースを（そのサブフレームタイミングを含む）参照として使用し、（いわゆる同期フェーズ中であるハンドオーバの場合）ＲＲＣメッセージを受信した後に追加のＲＳを探索し得る。その探索は、追加のＲＳの設定に基づいて、すなわち、接続モードで使用されるサービングセル同期ソースに関連する特定のサブフレームシフトにおいて行われるべきである。メッセージがその指示を含んでいなかった場合、無線デバイス１０は、追加のＲＳの検出より前にターゲット／２次セルと同期するためにターゲット／２次物理セル識別子を使用するか、または、（時間が経過していない場合）その同じセルとの前に獲得された同期を使用するべきである。上述のように、ターゲットセル中のＣＳＩ−ＲＳを実際に検出する前に、無線デバイス１０は、ターゲットセルのＤＬ送信との粗い同期を有し得る。したがって、無線デバイス１０は、最初に、ＳＳブロックの一部である、ターゲットセルの同期信号、すなわちＮＲ−ＰＳＳ／ＮＲ−ＳＳＳを受信しなければならない（無線デバイス１０がＮＲ−ＰＳＳ／ＮＲ−ＳＳＳを受信することは十分であり得るが、ＳＳブロックの残りの部分の受信をスキップし得ることに留意されたい）。無線デバイス１０は、ＮＲ−ＰＳＳ／ＮＲ−ＳＳＳを受信し、したがって、ターゲットセル中でＤＬ同期を獲得し、サービングセル中でのＨＯコマンドの受信時に１つの統合プロシージャにおいて（１つまたは複数の）ＣＳＩ−ＲＳ送信を検出し得る。代替的に、無線デバイス１０は、たとえば潜在的ハンドオーバ考慮事項のためのネイバーセル測定の目的で、ターゲットセルのＮＲ−ＰＳＳ／ＮＲ−ＳＳＳを前に受信していることがあり、また、無線デバイスの、ターゲットセルのＮＲ−ＰＳＳ／ＮＲ−ＳＳＳの最近の受信からそれほど長い時間が経過していない場合（ここで、許容できる時間は、たとえば、無線デバイス１０の仮定されたまたは測定された移動、および／あるいは、ターゲットセルのタイミングに関する無線デバイスの内部クロックの仮定されたドリフトに依存し得る）、無線デバイス１０は、ターゲットセルとの、無線デバイス１０の前に獲得されたＤＬ同期を依然として有効であると考え得、ＨＯコマンドを受信した後に（ＮＲ−ＰＳＳ／ＮＲ−ＳＳＳの追加の受信なしに）（１つまたは複数の）ＣＳＩ−ＲＳ送信の検出を直接行い得る。
【０１０５】
サブアクション３．２）において、ＲＳリソースを発見した後に、無線デバイス１０は、前に取得された設定に従ってまたは規格における何らかのあらかじめ規定されたルールに基づいて測定を実施し得る。これらの測定は、ＣＱＩ報告のためのビーム管理プロシージャの場合のように、時間領域におけるいわゆるワンショット測定であり得るか、または、その測定は、フィルタ処理された測定であり得る。フィルタ処理は、単に、追加のＲＳのための設定された帯域幅における周波数領域フィルタ処理であり得るが、フィルタ処理はまた、無線デバイス１０が選択を行う前に少なくとも一定数の連続するサブフレームを測定し得ることを指示する時間領域パラメータを含み得る。この設定は、無線デバイスビームフォーミング、すなわち、無線デバイス１０がその最適ビームを選択することを可能にする一定数の繰返しを考慮に入れ得ることに注意されたい。
【０１０６】
サブアクション３．３）において、無線デバイス１０は、最良のＤＬナロービームの選択と等価である最良の追加のＲＳを選択し得る。それは、最良のＲＳＲＰ、ＳＩＮＲ、ＳＮＲ、チャネル状態情報（ＣＳＩ）、あるいは信号強度または信号品質の何らかの他の測度に基づき得る。
【０１０７】
アクション１００８。無線デバイス１０は、次いで、ランダムアクセスプロシージャを実施するか、または、選択されたＲＳにマッピングされたＲＡＣＨ設定を使用してランダムアクセスプロシージャを始動し得る。したがって、無線デバイス１０は、ＲＡＣＨ対追加のＲＳマッピングに基づいてランダムアクセスを実施する。たとえば、（追加のＲＳの測定に基づく）最も強いＤＬビームの選択の後に、無線デバイス１０は、設定されたＲＡＣＨに関連するランダムアクセスプロシージャを始動し、たとえば、選択されたＲＳのために、時間／周波数リソースにおいてＲＡＣＨプリアンブルを使用し得る。したがって、提供されたマッピングは、ターゲットおよび／または２次セルのアクセス中に、すなわち、２次セルのハンドオーバ実行または確立／追加中に使用されるべきである。たとえば、ナローＤＬビーム選択と等価であるＲＳ選択の後に、無線デバイス１０は、ターゲットのＲＡＣＨのための（たとえばＨＯコマンド中で）前に受信されたＫ個の候補設定をルックアップし、選択されたＣＳＩ−ＲＳに関連するまたは選択されたＣＳＩ−ＲＳにマッピングされたＲＡＣＨ設定を選択し得る。ルックアップの後に、無線デバイス１０は、選択されたＲＡＣＨ設定（すなわち、プリアンブル、およびプリアンブルが送信されるべきである時間／周波数リソース（および／または、場合によっては（１つまたは複数の）コードリソース））を使用してターゲット／２次セルとのランダムアクセスプロシージャを始動し、ここで、ターゲットセルへのアクセスの始動は、無線デバイス１０が、設定されたランダムアクセスプリアンブルを送信することからなり、これは、ターゲットセル中のランダムアクセスプロシージャの初期アクションである。
【０１０８】
アクション１００９。所与のＤＬビームにマッピングする時間／周波数リソースにおけるＲＡＣＨプリアンブルの受信時に、第２の無線ネットワークノード１３は、何が、無線デバイス１０をカバーする最も強いＤＬナロービームであるかを検出する。第２の無線ネットワークノード１３は、次いで、ランダムアクセス応答（ＲＡＲ）で無線デバイス１０に応答し得る。選択されたＲＳに関連するランダムアクセスプリアンブルを送った後に、無線デバイス１０は、ハンドオーバコマンド、またはｍｏｂｉｌｉｔｙＣｏｎｔｒｏｌＩｎｆｏ  ＩＥをもつＲＲＣＣｏｎｎｅｃｔｉｏｎＲｅｃｏｎｆｉｇｕｒａｔｉｏｎ中で指示されるＲＡＣＨ設定の一部と考えられ得る、時間ウィンドウ内でターゲットセルからＲＡＲを受信することを予想し得る。ＲＡＲのための時間ウィンドウはまた、規格化され、すべての場合のための単一時間ウィンドウ、または、無線インターフェースのために使用されるヌメロロジー、キャリア周波数、セルのタイプ、ＲＡＣＨ設定の他の部分などの条件に応じて変動する時間ウィンドウのいずれかであり得る。ハンドオーバコマンド中に含まれる設定によってオーバーライドされ得る、ＲＡＲ時間ウィンドウのための規格化された（単一または可変）デフォルト設定もあり得る。ＲＡＲに関連する物理チャネルの設定はまた、ＨＯコマンド中で送信されたＲＳごとのＲＡＣＨ設定の一部であり、複数のＴＲＰをもつセルが、ターゲットセルのどのＴＲＰに無線デバイス１０が接続するべきであるかに応じて異なる設定を用いてＲＡＲを送信することを可能にし得る。第２の無線ネットワークノード１３は、ナロービームを介してＲＡＲを送信し、ビーム管理プロシージャをセットアップする前でさえ、ＰＤＳＣＨ上でのデータ送信のために、ナロー利得ビームフォーミングとともに選択されたＤＬビームを使用し始め、ハンドオーバ完了メッセージおよび／または２次セルのセットアップの後、直ちに開始し得る。別の代替案は、ＲＡＲを送るためにワイドビームを使用し、ＵＰデータ送信を始動するためにナロービームの知識のみを使用することである。これは、図９ｃにおけるアクション９２６の一例である。
【０１０９】
アクション１０１０。第２の無線ネットワークノード１３は、次いで、無線デバイス１０によって実施されたランダムアクセスプロシージャのＲＡＣＨ設定に関連するナロービームを使用して、無線デバイス１０とのユーザプレーン（ＵＰ）通信（ＤＬまたはＵＬ）を実施する。
【０１１０】
第２の無線ネットワークノード１３は、ＲＡＲおよび／またはＵＰデータのためのＤＬビーム選択を実施し得る。所与のＤＬビームにマッピングする時間／周波数リソースにおけるＲＡＣＨプリアンブルの受信時に、第２の無線ネットワークノード１３は、何が、無線デバイス１０をカバーする最も強いＤＬナロービームであるかを検出する。これは、図９ｃにおけるアクション９２６の一例である。
【０１１１】
第２の無線ネットワークノード１３は、ナロービームを介してアクション１１０９においてＲＡＲを送信し、ビーム管理プロシージャをセットアップする前でさえ、ＰＤＳＣＨ上でのデータ送信のために、ナロー利得ビームフォーミングとともに選択ＤＬビームを使用し始め、ハンドオーバ完了メッセージおよび／または２次セルのセットアップの後、直ちに開始し得ることに留意されたい。
【０１１２】
図１１は、無線通信ネットワーク１における無線デバイス１０の通信を扱うための、本明細書の実施形態による第１の無線ネットワークノード１２を、２つの実施形態において示された、示すブロック図である。第１の無線ネットワークノード１２は、無線デバイス１０をサーブするように設定され、無線通信ネットワーク１は第２の無線ネットワークノード１３をさらに備える。
【０１１３】
第１の無線ネットワークノード１２は、本明細書の方法を実施するように設定された処理回路要素１１０１、たとえば１つまたは複数のプロセッサを備え得る。
【０１１４】
第１の無線ネットワークノード１２は、検出モジュール１１０２、たとえば受信機またはトランシーバを備え得る。第１の無線ネットワークノード１２、処理回路要素１１０１、および／または検出モジュール１１０２は、無線デバイス１０から測定を受信するように設定され得、測定は、条件を満たす、第２の無線ネットワークノード１３の信号強度または品質を指示する。第１の無線ネットワークノード１２、処理回路要素１１０１、および／または検出モジュール１１０２は、第２の無線ネットワークノード１３への無線デバイス１０のハンドオーバを検出するように設定され、たとえば、第２の無線ネットワークノード１３の信号強度または品質がしきい値または現在の信号強度もしくは品質を上回ること、あるいはトリガ条件が満たされることを指示する、無線デバイス１０からのＲＲＣ測定を受信するように設定され得る。
【０１１５】
第１の無線ネットワークノード１２は、決定モジュール１１０３を備え得る。第１の無線ネットワークノード１２、処理回路要素１１０１、および／または決定モジュール１１０３は、無線デバイス１０が第１の無線ネットワークノード１２におけるビーム設定を使用するデバイスであると決定するように設定される。第１の無線ネットワークノード１２、処理回路要素１１０１、および／または決定モジュール１１０３は、無線デバイス１０が、あるＱｏＳを要求するデバイス、たとえば第１の無線ネットワークノード１２におけるナロービーム設定を使用するデバイスであると決定するように設定され得る。
【０１１６】
第１の無線ネットワークノード１２は、送信モジュール１１０４、たとえば送信機またはトランシーバを備え得る。第１の無線ネットワークノード１２、処理回路要素１１０１、および／または送信モジュール１１０４は、無線デバイスがビーム設定を使用していると決定されたとき、第２の無線ネットワークノード１３に、無線デバイス１０が第２の無線ネットワークノード１３へのアクセスを得、また、第２の無線ネットワークノード１３におけるビーム設定の使用を要求することを要求する指示をもつメッセージを送信するように設定される。たとえば、第１の無線ネットワークノード１２、処理回路要素１１０１、および／または送信モジュール１１０４は、第２の無線ネットワークノードに、無線デバイス１０が、ハンドオーバ、さらには、あるＱｏＳまたはサービスの性能、あるいはナロービームを要求することを指示する指示をもつメッセージを送信するように設定され得る。指示は、シームレスモビリティのための第２の無線ネットワークノード１３におけるＰＤＳＣＨのビームフォーミングを用いた高データレートチャネルの使用を指示することによってビーム設定の使用を要求し得る。指示は、第２の無線ネットワークノード１３にＸ２シグナリング中で送信され得る。指示は、要求されるサービス品質またはサービスの性能を指示することによってビーム設定の使用を要求し得る。第１の無線ネットワークノード１２、処理回路要素１１０１、および／または送信モジュール１１０４は、第２の無線ネットワークノード１３に、参照信号の１つまたは複数のセットが１つまたは複数のサービスにどのように関連するかを通知するデータを送信するように設定され得る。
【０１１７】
第１の無線ネットワークノード１２は、受信モジュール１１０５、たとえば受信機またはトランシーバを備え得る。第１の無線ネットワークノード１２、処理回路要素１１０１、および／または受信モジュール１１０５は、第２の無線ネットワークノード１３から確認を受信するように設定され得、確認は、ＲＳとＲＡＣＨ設定とのマッピング、および／または第２の無線ネットワークノード１３においてビーム中で送信されたＲＳの設定を指示する設定指示を備える。
【０１１８】
第１の無線ネットワークノード１２は、フォワーディングモジュール１１０６、たとえば送信機またはトランシーバを備え得る。第１の無線ネットワークノード１２、処理回路要素１１０１、および／またはフォワーディングモジュール１１０６は、ＲＳとＲＡＣＨ設定とのマッピング、および／またはＲＳ設定を無線デバイスにフォワーディングまたは送信するように設定され得る。
【０１１９】
第１の無線ネットワークノード１２はメモリ１１０７をさらに備える。メモリは、実行されているときに本明細書で開示される方法を実施するためのＲＳ設定、マッピング、指示、メッセージ、条件、強度または品質、パラメータ、アプリケーション、ならびに同様のものなど、データを記憶するために使用されるべき１つまたは複数のユニットを備える。第１の無線ネットワークノード１２は、送信機、受信機、トランシーバおよび／または１つまたは複数のアンテナを備える、通信インターフェースを備え得る。
【０１２０】
第１の無線ネットワークノード１２のための本明細書で説明される実施形態による方法は、それぞれ、少なくとも１つのプロセッサ上で実行されたとき、第１の無線ネットワークノード１２によって実施されるように、少なくとも１つのプロセッサに、本明細書で説明されるアクションを行わせる、命令、すなわち、ソフトウェアコード部分を備える、たとえばコンピュータプログラム１１０８またはコンピュータプログラム製品の手段によって実装される。コンピュータプログラム１１０８は、コンピュータ可読記憶媒体１１０９、たとえばディスク、ユニバーサルシリアルバス（ＵＳＢ）スティック、または同様のものに記憶され得る。コンピュータプログラムを記憶したコンピュータ可読記憶媒体１１０９は、少なくとも１つのプロセッサ上で実行されたとき、第１の無線ネットワークノード１２によって実施されるように、少なくとも１つのプロセッサに、本明細書で説明されるアクションを行わせる、命令を備え得る。いくつかの実施形態では、コンピュータ可読記憶媒体は、一時的または非一時的コンピュータ可読記憶媒体であり得る。
【０１２１】
図１２は、無線通信ネットワーク１における無線デバイス１０の通信を扱うための、本明細書の実施形態による第２の無線ネットワークノード１３を、２つの実施形態において示された、示すブロック図である。無線通信ネットワークは、無線通信ネットワーク１において無線デバイスをサーブする第１の無線ネットワークノード１２を備える。
【０１２２】
第２の無線ネットワークノード１３は、本明細書の方法を実施するように設定された処理回路要素１２０１、たとえば１つまたは複数のプロセッサを備え得る。
【０１２３】
第２の無線ネットワークノード１３は、受信モジュール１２０２、たとえば受信機またはトランシーバを備え得る。第２の無線ネットワークノード１３、処理回路要素１２０１、および／または受信モジュール１２０２は、無線デバイス１０が第２の無線ネットワークノード１３へのアクセスを得、また、第２の無線ネットワークノード１３におけるビーム設定の使用を要求することを要求する指示をもつメッセージを、第１の無線ネットワークノード１２から受信するように設定される。第２の無線ネットワークノード１３、処理回路要素１２０１、および／または受信モジュール１２０２は、無線デバイスが、ハンドオーバ、さらには、あるＱｏＳまたはサービスの性能、あるいはナロービームを要求することを第２の無線ネットワークノードに通知するメッセージまたはデータ、たとえば、そのことを指示する指示をもつメッセージまたはデータを、第１の無線ネットワークノード１２から受信するように設定され得る。指示は、シームレスモビリティのための第２の無線ネットワークノード１３におけるＰＤＳＣＨのビームフォーミングを用いた高データレートチャネルの使用を指示することによってビーム設定の使用を要求し得る。指示は、第１の無線ネットワークノード１２からＸ２シグナリング中で送信され得る。指示は、要求されるサービス品質または要求されるサービスの性能を指示することによってビーム設定の使用を要求し得る。
【０１２４】
第２の無線ネットワークノード１３は、決定モジュール１２０３を備え得る。第２の無線ネットワークノード１３、処理回路要素１２０１、および／または決定モジュール１２０３は、無線デバイスを承認すべきかどうかを決定するように設定される。
【０１２５】
第２の無線ネットワークノード１３は、送信モジュール１２０４を備え得る。第２の無線ネットワークノード１３、処理回路要素１２０１、および／または送信モジュール１２０４は、無線デバイス１０が承認された場合、第１の無線ネットワークノード１２に確認を送信するように設定され得、確認またはメッセージは、ＲＳとＲＡＣＨ設定とのマッピング、および／または第２の無線ネットワークノードにおいてビーム中で送信されたＲＳの設定を指示する設定指示を備える。第２の無線ネットワークノード１３、処理回路要素１２０１、および／または送信モジュール１２０４は、それぞれのビーム設定の１つまたは複数のＲＳの送信を開始するように設定され得る。
【０１２６】
第２の無線ネットワークノード１３、処理回路要素１２０１、および／または受信モジュール１２０２は、ＲＡＣＨ設定の少なくとも一部を使用して、無線デバイス１０からの始動されるランダムアクセスプロシージャを検出することであって、ＲＡＣＨ設定が、送信された１つまたは複数のＲＳのうちの、ＣＳＩ−ＲＳなど、ＲＳにマッピングされる、始動されるランダムアクセスプロシージャを検出することを行うように設定され得る。第２の無線ネットワークノード１３、処理回路要素１２０１、受信モジュール１２０２および／または送信モジュール１２０４は、無線デバイス１０へのまたは無線デバイス１０からのデータ送信を実施するためにＲＳに関連するビーム設定を使用するように設定され得る。
【０１２７】
第２の無線ネットワークノード１３はメモリ１２０５をさらに備える。メモリは、実行されているときに本明細書で開示される方法を実施するためのＲＳ設定、マッピング、条件、強度または品質、パラメータ、アプリケーション、ならびに同様のものなど、データを記憶するために使用されるべき１つまたは複数のユニットを備える。第２の無線ネットワークノード１３は、送信機、受信機、トランシーバおよび／または１つまたは複数のアンテナを備える通信インターフェースを備え得る。
【０１２８】
第２の無線ネットワークノード１３のための本明細書で説明される実施形態による方法は、それぞれ、少なくとも１つのプロセッサ上で実行されたとき、第２の無線ネットワークノード１３によって実施されるように、少なくとも１つのプロセッサに、本明細書で説明されるアクションを行わせる、命令、すなわち、ソフトウェアコード部分を備える、たとえばコンピュータプログラム１２０６またはコンピュータプログラム製品の手段によって実装される。コンピュータプログラム１２０６は、コンピュータ可読記憶媒体１２０７、たとえばディスク、ＵＳＢスティック、または同様のものに記憶され得る。コンピュータプログラムを記憶したコンピュータ可読記憶媒体１２０７は、少なくとも１つのプロセッサ上で実行されたとき、第２の無線ネットワークノード１３によって実施されるように、少なくとも１つのプロセッサに、本明細書で説明されるアクションを行わせる、命令を備え得る。いくつかの実施形態では、コンピュータ可読記憶媒体は、一時的または非一時的コンピュータ可読記憶媒体であり得る。
【０１２９】
いくつかの実施形態では、「無線ネットワークノード」という、より一般的な用語が使用され、「無線ネットワークノード」という用語は、無線デバイスおよび／または別のネットワークノードと通信する任意のタイプの無線ネットワークノードまたは任意のネットワークノードに対応することができる。ネットワークノードの例は、ノードＢ、マスタｅＮＢ、２次ｅＮＢ、マスタセルグループ（ＭＣＧ）または２次セルグループ（ＳＣＧ）に属するネットワークノード、基地局（ＢＳ）、マルチスタンダード無線（ＭＳＲ）ＢＳなどのＭＳＲ無線ノード、ｅノードＢ、ネットワークコントローラ、無線ネットワークコントローラ（ＲＮＣ）、基地局コントローラ（ＢＳＣ）、リレー、リレーを制御するドナーノード、基地トランシーバ局（ＢＴＳ）、アクセスポイント（ＡＰ）、送信ポイント、送信ノード、リモートラジオユニット（ＲＲＵ）、リモート無線ヘッド（ＲＲＨ）、分散アンテナシステム（ＤＡＳ）におけるノード、コアネットワークノード、たとえばモビリティスイッチングセンター（ＭＳＣ）、モバイル管理エンティティ（ＭＭＥ）など、運用保守（Ｏ＆Ｍ）、運用サポートシステム（ＯＳＳ）、自己組織化ネットワーク（ＳＯＮ）、測位ノード、たとえばエボルブドサービングモバイルロケーションセンター（Ｅ−ＳＭＬＣ：Ｅｖｏｌｖｅｄ  Ｓｅｒｖｉｎｇ  Ｍｏｂｉｌｅ  Ｌｏｃａｔｉｏｎ  Ｃｅｎｔｒｅ）、ドライブテスト最小化（ＭＤＴ：Ｍｉｎｉｍｉｚｉｎｇ  Ｄｒｉｖｅ  Ｔｅｓｔ）ノードなどである。
【０１３０】
いくつかの実施形態では、無線デバイスまたはユーザ機器（ＵＥ）という非限定的な用語が使用され、無線デバイスまたはＵＥという用語は、セルラーまたは移動体通信システムにおけるネットワークノードおよび／または別のＵＥと通信する任意のタイプの無線デバイスを指す。ＵＥの例は、ターゲットデバイス、デバイスツーデバイス（Ｄ２Ｄ）ＵＥ、プロキシミティ対応ＵＥ（別名ＰｒｏＳｅ  ＵＥ）、マシン型ＵＥまたはマシンツーマシン（Ｍ２Ｍ）通信が可能なＵＥ、ＰＤＡ、ＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどである。
【０１３１】
実施形態は、５Ｇについて説明される。しかしながら、実施形態は、ＵＥが、信号（たとえばデータ）を受信および／または送信する、任意のＲＡＴまたはマルチＲＡＴシステム、たとえばＬＴＥ、ＬＴＥ周波数複信分割／時間複信分割（ＦＤＤ／ＴＤＤ）、ＷＣＤＭＡ／ＨＳＰＡ、ＧＳＭ／ＧＥＲＡＮ、Ｗｉ  Ｆｉ、ＷＬＡＮ、ＣＤＭＡ２０００などに適用可能である。
【０１３２】
アンテナノード：「アンテナノード」は、特定のサービスエリアまたは方向をカバーする１つまたは複数のビームを生成することが可能なユニットである。アンテナノードは、基地局、または基地局の一部であり得る。
【０１３３】
通信設計に精通している人々によって容易に理解されるように、その機能手段またはモジュールは、デジタル論理および／または１つまたは複数マイクロコントローラ、マイクロプロセッサ、あるいは他のデジタルハードウェアを使用して実装され得る。いくつかの実施形態では、様々な機能のいくつかまたはすべては、単一の特定用途向け集積回路（ＡＳＩＣ）において、あるいは、それらの間の適切なハードウェアおよび／またはソフトウェアインターフェースをもつ２つまたはそれ以上の別個のデバイスにおいてなど、一緒に実装され得る。機能のうちのいくつかは、たとえば、無線デバイスまたはネットワークノードの他の機能構成要素と共有されるプロセッサ上で実装され得る。
【０１３４】
代替的に、説明される処理手段の機能エレメントのうちのいくつかは、専用ハードウェアを使用することによって提供され得、他の機能エレメントは、適切なソフトウェアまたはファームウェアに関連して、ソフトウェアを実行するためのハードウェアを提供される。したがって、本明細書で使用される「プロセッサ」または「コントローラ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／あるいはプログラムまたはアプリケーションデータを記憶するためのランダムアクセスメモリ、ならびに不揮発性メモリを暗黙的に含み得る。従来のおよび／またはカスタムの他のハードウェアも含まれ得る。通信デバイスの設計者は、これらの設計選択に固有のコスト、性能、および保守のトレードオフを諒解されよう。
【０１３５】
無線通信ネットワークにおける無線デバイスの通信を扱うための第１の無線ネットワークノードによって実施される方法が、本明細書で開示される。第１の無線ネットワークノードは無線デバイスをサーブし、無線通信ネットワークは第２の無線ネットワークノードをさらに備える。第１の無線ネットワークノードは、第２の無線ネットワークノードへの無線デバイスのハンドオーバを検出し、たとえば、しきい値または現在の信号強度もしくは品質を上回る第２の無線ネットワークノードの信号強度または品質、あるいはトリガ条件が満たされることを指示する、無線デバイスからのＲＲＣ測定を受信する。第１の無線ネットワークノードは、無線デバイスが、あるＱｏＳを要求するデバイス、たとえば第１の無線ネットワークノードにおけるナロービーム設定を使用するデバイスであると決定し得る。第１の無線ネットワークノードは、第２の無線ネットワークノードに、無線デバイスが、ハンドオーバ、さらには、あるＱｏＳまたはサービスの性能、あるいはナロービームを要求することを指示する指示をもつメッセージを送信する。第１の無線ネットワークノードは、次いで、第２の無線ネットワークノードから確認を受信し得、確認は、ＲＳとＲＡＣＨ設定とのマッピング、および／または第２の無線ネットワークノードにおいてビーム中で送信されたＲＳの設定を指示する設定指示を備える。このマッピングおよび／またはＲＳ設定は、次いで、無線デバイスにフォワーディングされ得る。
【０１３６】
さらに、無線通信ネットワークにおける無線デバイスの通信を扱うための第２の無線ネットワークノードによって実施される方法が、本明細書で開示される。無線通信ネットワークは、無線通信ネットワークにおいて無線デバイスをサーブする第１の無線ネットワークノードを備える。第２の無線ネットワークノードは、無線デバイスが、ハンドオーバ、さらには、あるＱｏＳまたはサービスの性能、あるいはナロービームを要求することを指示する指示をもつメッセージを、第１の無線ネットワークノードから受信する。第２の無線ネットワークノードは、次いで、無線デバイスを承認すべきかどうかを決定し、その場合、第１の無線ネットワークノードに確認を送信し得、確認は、ＲＳとＲＡＣＨ設定とのマッピング、および／または第２の無線ネットワークノードにおいてビーム中で送信されたＲＳの設定を指示する設定指示を備える。
【０１３７】
本明細書の実施形態は、無線ネットワークノード間協調問題に対処し、無線ネットワークノード間シグナリング、すなわち、Ｘｎインターフェース、たとえばＸ２のようなインターフェースをわたる異なる無線ネットワークノード間のシグナリングに焦点を当てる。いくつかの実施形態では、特にＣＳＩ−ＲＳ設定がたとえばＮＲにおけるハンドオーバ実行最適化のために使用される場合、Ｘｎ：ハンドオーバ要求およびＸｎ：ハンドオーバ要求Ａｃｋのようなものに対する強化が開示される。
【０１３８】
上記の説明および添付の図面は、本明細書で教示された方法および装置の非限定的な例を表すことが諒解されよう。したがって、本明細書で教示された装置および技法は、上記の説明および添付の図面によって限定されない。代わりに、本明細書の実施形態は、以下の特許請求の範囲およびそれらの法的均等物によってのみ限定される。
【図１】
0006955024.tif 000002
【図２】
0006955024.tif 000003
【図３】
0006955024.tif 000004
【図４】
0006955024.tif 000005
【図５】
0006955024.tif 000006
【図６】
0006955024.tif 000007
【図７】
0006955024.tif 000008
【図８】
0006955024.tif 000009
【図９ａ】
0006955024.tif 000010
【図９ｂ】
0006955024.tif 000011
【図９ｃ】
0006955024.tif 000012
【図１０】
0006955024.tif 000013
【図１１】
0006955024.tif 000014
【図１２】
0006955024.tif 000015